(57)【特許請求の範囲】
【請求項１】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−4.0重量%（目標下限組成）の範囲に収めるため、
移充填直前の、前記供給用容器内の前記混合冷媒のジフルオロメタンの液相混合比（初期組成）を、x+y1(最小値)〜x重量%(目標上限組成)にすることを特徴とする、混合冷媒の充填方法。
a：供給用容器における初期充填量（重量%）（60≦a≦100）
x：目標上限組成である（10≦x≦90、ただしy1＞0となる範囲を除く）。
y1：初期組成における目標上限組成とのずれの下限値で、次の式(1)で表される値である。
1000y1 = L1x3- M1x2 + N1x - P1        (1)
L1= 0.0006 a + 0.0033
M1= 0.0147 a + 1.3904
N1= 0.9026 a + 112.55
P1= 1.1469 a + 4464
【請求項２】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、最大充填量の100重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−4.0重量%（目標下限組成）の範囲に収めるため、
移充填直前の、前記供給用容器内の前記混合冷媒のジフルオロメタンの液相混合比（初期組成）を、x+yP1(最小値)〜x重量%(目標上限組成)にすることを特徴とする、混合冷媒の充填方法。
x：目標上限組成である（10≦x≦90）。
yP1：初期組成における目標上限組成とのずれの下限値で、次の式(2)で表される値である。
1000yP1 = 0.009x3 - 2.8565x2+ 202.202x - 4579.154       (2)
【請求項３】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、最大充填量の90重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−4.0重量%（目標下限組成）の範囲に収めるため、
移充填直前の、前記供給用容器内の前記混合冷媒のジフルオロメタンの液相混合比（初期組成）を、x+yP2(最小値)〜x重量%(目標上限組成)にすることを特徴とする、混合冷媒の充填方法。
x：目標上限組成である（10≦x≦90）。
yP2：初期組成における目標上限組成とのずれの下限値で、次の式(3)で表される値である。
1000yP2 = 0.0089x3- 2.714x2+ 194.2292x - 4574.474        (3)
【請求項４】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、最大充填量の80重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−4.0重量%（目標下限組成）の範囲に収めるため、
移充填直前の、前記供給用容器内の前記混合冷媒のジフルオロメタンの液相混合比（初期組成）を、x+yP3(最小値)〜x重量%(目標上限組成)にすることを特徴とする、混合冷媒の充填方法。
x：目標上限組成である（10≦x≦90）。
yP3：初期組成における目標上限組成とのずれの下限値で、次の式(4)で表される値である。
1000yP3 = 0.0084x3 - 2.5913x2+ 185.8744x - 4552.951        (4)
【請求項５】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−4.0重量%（目標下限組成）の範囲に収めるため、
移充填直前の、前記供給用容器内の前記混合冷媒のジフルオロメタンの液相混合比（初期組成）を、x+yP4(最小値)〜x重量%(目標上限組成)にすることを特徴とする、混合冷媒の充填方法。
x：目標上限組成である（10≦x≦90）。
yP4：初期組成における目標上限組成とのずれの下限値で、次の式(5)で表される値である。
1000yP4 = 0.0075x3 - 2.3976x2+ 174.6504x - 4526.37        (5)
【請求項６】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、最大充填量の60重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−4.0重量%（目標下限組成）の範囲に収めるため、
移充填直前の、前記供給用容器内の前記混合冷媒のジフルオロメタンの液相混合比（初期組成）を、x+yP5(最小値)〜x重量%(目標上限組成)にすることを特徴とする、混合冷媒の充填方法。
x：目標上限組成である（10≦x≦90）。
yP5：初期組成における目標上限組成とのずれの下限値で、次の式(6)で表される値である。
1000yP5 = 0.0071x3 - 2.2789x2+ 166.8604x - 4545.862       (6)
【請求項７】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−3.0重量%（目標下限組成）の範囲に収めるため、
移充填直前の、前記供給用容器内の前記混合冷媒のジフルオロメタンの液相混合比（初期組成）を、x+y2(最小値)〜x重量%(目標上限組成)にすることを特徴とする、混合冷媒の充填方法。
a：供給用容器における初期充填量（重量%）（60≦a≦100）
x：目標上限組成である（10≦x≦90、ただしy2＞0となる範囲を除く）。
y2：初期組成における目標上限組成とのずれの下限値で、次の式(7)で表される値である。
1000y2 = L2x3- M2x2 + N2x - P2        (7)
L2= 0.0006 a + 0.0033
M2= 0.0149 a + 1.3265
N2= 0.9005 a + 106.38
P2= 0.8193 a + 3287.8
【請求項８】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜25.5重量%又は66.5〜90重量%の量で存在する混合冷媒を、最大充填量の100重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−3.0重量%（目標下限組成）の範囲に収めるため、
移充填直前の、前記供給用容器内の前記混合冷媒のジフルオロメタンの液相混合比（初期組成）を、x+yQ1(最小値)〜x重量%(目標上限組成)にすることを特徴とする、混合冷媒の充填方法。
x：目標上限組成である（10≦x≦25.5又は66.5≦x≦90）。
yQ1：初期組成における目標上限組成とのずれの下限値で、次の式(8)で表される値である。
1000yQ1 = 0.0093x3 - 2.79655x2+ 194.9369x - 3361.644        (8)
【請求項９】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜27.5重量%又は64.5〜90重量%の量で存在する混合冷媒を、最大充填量の90重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−3.0重量%（目標下限組成）の範囲に収めるため、
移充填直前の、前記供給用容器内の前記混合冷媒のジフルオロメタンの液相混合比（初期組成）を、x+yQ2(最小値)〜x重量%(目標上限組成)にすることを特徴とする、混合冷媒の充填方法。
x：目標上限組成である（10≦x≦27.5又は64.5≦x≦90）。
yQ2：初期組成における目標上限組成とのずれの下限値で、次の式(9)で表される値である。
1000yQ2 = 0.0089x3 - 2.69275x2+ 188.6282x - 3367.314       (9)
【請求項１０】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜30.0重量％又は61.5〜90重量%の量で存在する混合冷媒を、最大充填量の80重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−3.0重量%（目標下限組成）の範囲に収めるため、
移充填直前の、前記供給用容器内の前記混合冷媒のジフルオロメタンの液相混合比（初期組成）を、x+yQ3(最小値)〜x重量%(目標上限組成)にすることを特徴とする、混合冷媒の充填方法。
x：目標上限組成である（10≦x≦30.0又は61.5≦x≦90）。
yQ3：初期組成における目標上限組成とのずれの下限値で、次の式(10)で表される値である。
1000yQ3 = 0.0083x3 - 2.54425x2+ 180.1067x - 3371.564        (10)
【請求項１１】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜32.0重量%又は56.0〜90重量%の量で存在する混合冷媒を、最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−3.0重量%（目標下限組成）の範囲に収めるため、
移充填直前の、前記供給用容器内の前記混合冷媒のジフルオロメタンの液相混合比（初期組成）を、x+yQ4(最小値)〜x重量%(目標上限組成)にすることを特徴とする、混合冷媒の充填方法。
x：目標上限組成である（10≦x≦32.0又は56.0≦x≦90）。
yQ4：初期組成における目標上限組成とのずれの下限値で、次の式(11)で表される値である。
1000yQ4 = 0.0074x3 - 2.3485x2+ 168.4156x - 3324.164        (11)
【請求項１２】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜90重量%の量で存在する混合冷媒を、最大充填量の60重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−3.0重量%（目標下限組成）の範囲に収めるため、
移充填直前の、前記供給用容器内の前記混合冷媒のジフルオロメタンの液相混合比（初期組成）を、x+yQ5(最小値)〜x重量%(目標上限組成)にすることを特徴とする、混合冷媒の充填方法。
x：目標上限組成である（10≦x≦90）。
yQ5：初期組成における目標上限組成とのずれの下限値で、次の式(12)で表される値である。
1000yQ5 = 0.0070x3 - 2.2222x2+ 160.0194x - 3342.253        (12)
【請求項１３】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜18.0重量%又は76.0〜90重量%の量で存在する混合冷媒を、供給用容器より供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−2.0重量%（目標下限組成）の範囲に収めるため、
移充填直前の、前記供給用容器内の前記混合冷媒のジフルオロメタンの液相混合比（初期組成）を、x+y3(最小値)〜x重量%(目標上限組成)にすることを特徴とする、混合冷媒の充填方法。
a：供給用容器における初期充填量（重量%）（60≦a≦100）
x：目標上限組成である（10≦x≦18.0重量%又は76.0≦x≦90、ただしy3＞0となる範囲を除く）。
y3：初期組成における目標上限組成とのずれの下限値で、次の式(13)で表される値である。
1000y3= L3x3 - M3x2+ N3x - P3        (13)
L3= 0.0006 a + 0.0033
M3= 0.0137 a + 1.3646
N3= 0.8276 a + 105.68
P3= -0.5186 a + 2205.2
【請求項１４】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜14.0重量%又は81.0〜90重量%の量で存在する混合冷媒を、最大充填量の100重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−2.0重量%（目標下限組成）の範囲に収めるため、
移充填直前の、前記供給用容器内の前記混合冷媒のジフルオロメタンの液相混合比（初期組成）を、x+yR1(最小値)〜x重量%(目標上限組成)にすることを特徴とする、混合冷媒の充填方法。
x：目標上限組成である（10≦x≦14.0又は81.0≦x≦90）。
yR1：初期組成における目標上限組成とのずれの下限値で、次の式(14)で表される値である。
1000yR1 = 0.0088x3 - 2.6875x2+ 186.3886x - 2144.11        (14)
【請求項１５】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜14.5重量%又は80.5〜90重量%の量で存在する混合冷媒を、最大充填量の90重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−2.0重量%（目標下限組成）の範囲に収めるため、
移充填直前の、前記供給用容器内の前記混合冷媒のジフルオロメタンの液相混合比（初期組成）を、x+yR2(最小値)〜x重量%(目標上限組成)にすることを特徴とする、混合冷媒の充填方法。
x：目標上限組成である（10≦x≦14.5又は80.5≦x≦90）。
yR2：初期組成における目標上限組成とのずれの下限値で、次の式(15)で表される値である。
1000yR2 = 0.0085x3 - 2.6087x2+ 181.1319x - 2166.072        (15)
【請求項１６】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜15.5重量%又は79.5〜90重量%の量で存在する混合冷媒を、最大充填量の80重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−2.0重量%（目標下限組成）の範囲に収めるため、
移充填直前の、前記供給用容器内の前記混合冷媒のジフルオロメタンの液相混合比（初期組成）を、x+yR3(最小値)〜x重量%(目標上限組成)にすることを特徴とする、混合冷媒の充填方法。
x：目標上限組成である（10≦x≦15.5又は79.5≦x≦90）。
yR3：初期組成における目標上限組成とのずれの下限値で、次の式(16)で表される値である。
1000yR3 = 0.0082x3 - 2.5108x2+ 174.097x - 2167.464        (16)
【請求項１７】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜16.0重量%又は78.0〜90重量%の量で存在する混合冷媒を、最大充填量の70重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−2.0重量%（目標下限組成）の範囲に収めるため、
移充填直前の、前記供給用容器内の前記混合冷媒のジフルオロメタンの液相混合比（初期組成）を、x+yR4(最小値)〜x重量%(目標上限組成)にすることを特徴とする、混合冷媒の充填方法。
x：目標上限組成である（10≦x≦16.0又は78.0≦x≦90）。
yR4：初期組成における目標上限組成とのずれの下限値で、次の式(17)で表される値である。
1000yR4 = 0.0074x3 - 2.3367x2+ 164.5012x - 2176.172       (17)
【請求項１８】
ジフルオロメタン及びトランス-1,3,3,3-テトラフルオロプロペンを含み、ジフルオロメタン及びトランス-1,3,3,3-テトラフルオロプロペンの合計100重量%に対し液相においてジフルオロメタンが10〜18.0重量%又は76.0〜90重量%の量で存在する混合冷媒を、最大充填量の60重量%以下の量で充填されている供給用容器より、供給先の容器及び機器へ液で移充填する際に、
移充填開始から完了までの、前記供給用容器内の前記混合冷媒中のジフルオロメタンの液相混合比を、ジフルオロメタンの目標上限組成(x)から目標上限組成(x)−2.0重量%（目標下限組成）の範囲に収めるため、
移充填直前の、前記供給用容器内の前記混合冷媒のジフルオロメタンの液相混合比（初期組成）を、x+yR5(最小値)〜x重量%(目標上限組成)にすることを特徴とする、混合冷媒の充填方法。
x：目標上限組成である（10≦x≦18.0又は76.0≦x≦90）。
yR5：初期組成における目標上限組成とのずれの下限値で、次の式(18)で表される値である。
1000yR5 = 0.0065x3 - 2.1408x2+ 153.3221x - 2164.988        (18)
【発明の詳細な説明】
【技術分野】
【０００１】
本発明は、トランス-1,3,3,3-テトラフルオロプロペンを含む混合冷媒の充填方法に関する。
【背景技術】
【０００２】
近年、地球温暖化防止の観点から、冷凍空調分野において冷媒の見直しが進められている。カーエアコン分野においては、欧州のF-gas規制によりGWP 150（GWP：Global warming potential：地球温暖化係数）以上の冷媒が規制されることとなり、GWP 4の2,3,3,3-テトラフルオロプロペン（本明細書においてHFO-1234yfと表記することがある）が採用となった。また、大型冷凍空調分野では、上記HFO-1234yfの他、トランス-1,3,3,3-テトラフルオロプロペン（本明細書においてHFO-1234ze(E)と表記することがある）も代替候補として挙げられている。
【０００３】
定置型冷凍空調機器においても、現在使用されているR-410A（GWP 2088）やR-404A（GWP 3922）、R-407C（GWP 1770）及び1,1,1,2-テトラフルオロエタン（本明細書においてHFC-134aと表記することがある）（GWP 1430）等はGWPが高く、先進国においてはCO2削減の観点だけでなく、HFC（Hydrofluorocarbon、フッ素化炭化水素）削減の観点からも規制されつつあり、その代替冷媒の開発は急務である。そして、冷媒選定においては、用途・運転条件などを考慮し、様々な冷媒の中から環境性、安全性、性能及び経済性等多角的な観点から検討しなければならない。そこで、現在、フルオロカーボンや自然冷媒ともに様々な冷媒種が提案されているが、現状、燃焼性、効率及びGWP値等を全て満足するような冷媒は存在せず、用途や運転条件などに応じて適材適所で選定する必要がある。
【０００４】
さて、冷媒の中でも、HFO-1234ze(E)冷媒はその低いGWPや毒性の低さから大型冷凍空調分野以外にも注目されている。しかしながら、R-410A等の冷媒の代替として、定置型冷凍空調機器等で使用するにはHFO冷媒は単体では蒸気圧が低く、従来冷媒に比べて能力不足あるいは性能低下が危惧されており、また微燃性を有することも分かっている。
【０００５】
そこで、最近では能力向上及び不燃化を図るため、各種冷媒を混合した非共沸混合冷媒の提案がなされている（特許文献１〜３）。
【０００６】
しかしながら、HFCとHFO-1234ze(E)との混合物の多くは、非共沸混合物であるがゆえに、蒸発・凝縮のように相変化する場合は組成変動が生じる。これは、低沸点の成分が蒸発し易く、高沸点の成分が凝縮し易いためである。この傾向は蒸発、即ち液から蒸気への相変化の場合に大きく、特に混合物の構成成分の沸点差が大きいほど著しい。従って、このような非共沸混合物を容器から別の容器に移す場合には、相変化を伴わないように液側から抜き出すのが普通である。
【０００７】
ところが、液側から抜き出す場合でも混合物の構成成分の沸点差が大きいと、数重量%の組成変化を生じてしまう。これは、抜き出しによる圧力減少や気相部空間の増加により、液相中の低沸点成分の蒸発を生じるからである。この数重量%の組成変化は、冷媒性能に大きな変化を生じ能力や効率の低下を及ぼすだけでなく、燃焼性などの冷媒の安全性にも大きな影響を与える（特許文献４、５）。
【０００８】
特に、HFO-1234ze(E)との混合冷媒として使用する可能性の高いHFC-32（ジフルオロメタン）は非常に冷凍能力が高いものの、HFO-1234ze(E)との沸点差は約30K近くもあり、ボンベやタンクローリー等供給側容器から冷凍空調機器や他のボンベへ移充填する際に生じる組成変化は性能上無視できないレベルにある。また、性能面だけでなく混合冷媒の品質保証という点においても、その混合冷媒の設定公差内に組成変化を収めることは重要である。
【０００９】
例えば、何の対策もせずにHFO-1234ze(E)及びHFC-32からなる混合冷媒を40℃で移充填した場合、移充填元の全ての液が消失した時点で狙いの組成から最大で3〜4重量%の組成のずれが生じる。この場合、狙いの組成から見るとその組成変動率は約±4重量%となり、狙いの組成で見込んでいた冷凍能力及びCOP等の冷媒能力が保証できなくなってしまう。そのため、この組成変動率を出来るだけ小さく収める事が重要となってくる。
【００１０】
また、この組成変動は非共沸冷媒の種類や組成比によって大きく異なり、全くの実測無しにその組成変動幅をあらかじめ予想することは困難である。
【先行技術文献】
【特許文献】
【００１１】
【特許文献１】特開2010-47754号公報
【特許文献２】特表2011-525204号公報
【特許文献３】特表2011-522947号公報
【特許文献４】特開平10-197108号公報
【特許文献５】特許第3186065号
【発明の概要】
【発明が解決しようとする課題】
【００１２】
本発明の主な目的は、HFO-1234ze(E)及びHFC-32からなる非共沸混合冷媒の移充填時の組成変化を、冷媒性能の許容範囲内に収めることの出来る混合冷媒の充填方法を提供することである。
【課題を解決するための手段】
【００１３】
本発明者らは、この様な密閉容器に貯蔵された２種の沸点の異なる液化ガスよりなる非共沸混合物を液側から別の容器に移充填する際に生じる組成変化の問題を解決するために液化ガスの充填方法について鋭意検討を加えた。
【００１４】
即ち、本発明は、下記のHFC-32及びHFO-1234ze(E)からなる非共沸混合冷媒の充填方法を提供するものである。
【００１５】
本発明の混合冷媒の充填方法は、非共沸冷媒であるHFC-32/HFO-1234ze(E)混合冷媒において、その組成が液相においてHFC-32：10〜90重量％のものを、供給用容器より供給先の容器及び機器へ移充填する際に、移充填する前の、供給用容器内のHFC-32の液相混合比を特定の範囲に設定することを特徴とする。
【００１６】
容器への混合冷媒の充填を最大（充填量100重量％）とする場合の、供給用容器より、供給先の容器及び機器へ混合冷媒の移充填を実施する際に、移充填を実施する前の供給用容器内における混合冷媒の混合比について説明する。
【００１７】
前記充填量100重量％とは、輸送に関する国際法や日本の高圧ガス保安法で定められている、容器に充填できる最大の充填量のことを示す。日本の高圧ガス保安法では以下の様に算出する。
・G = V/C
・G：フルオロカーボンの質量（kg）
・V：容器の内容積（L）
・C：フルオロカーボンの種類による定数
この際の充填定数Cは日本国内では、1.05を48℃における当該ガスの比重で除した値と定められている。また、この充填定数Cは、輸出を伴う際は国際法により、熱帯地方を通過する際は、1.05を65℃における当該ガスの比重で除した値、熱帯以外のその他の地方のみでは、1.05を45℃における当該ガスの比重で除した値と定められている。
【００１８】
HFC-32/HFO-1234ze(E)混合冷媒を、供給用容器より供給先の容器及び機器へ移充填する際に、供給用容器の初期充填量が少ない方が、移充填開始から完了までの、前記供給用容器内の前記混合冷媒中のHFC-32の液相混合比の組成変化は小さくなる。
【００１９】
以下、1.05を45℃における当該ガスの比重で除した値、を充填定数として採用し、算出した値を充填量100%としている。
【００２０】
本発明は、主として以下の発明を含む。
【００２１】
項１．HFC-32及びHFO-1234ze(E)を含み、HFC-32及びHFO-1234ze(E)の合計100重量%に対し液相においてHFC-32が10〜90重量％の量で存在する混合冷媒を、供給用容器より供給先の容器及び機器へ液で移充填する際に、
移充填開始から完了までの、前記供給用容器内の前記混合冷媒中のHFC-32の液相混合比を、HFC-32の目標上限組成(x)から目標上限組成(x)−4.0重量%（目標下限組成）の範囲に収めるため、
移充填直前の、前記供給用容器内の前記混合冷媒のHFC-32の液相混合比（初期組成）を、x+y1(最小値)〜x％(目標上限組成)にすることを特徴とする、混合冷媒の充填方法。
【００２２】
a：供給用容器における初期充填量（重量%）
x：目標上限組成である（10≦x≦90、ただしy1＞0となる範囲を除く）。
y1：初期組成における目標上限組成とのずれの下限値で、次の式(1)で表される値である。
【００２３】
1000y1 = L1x3- M1x2 + N1x - P1        (1)
L1= 0.0006 a + 0.0033
M1= 0.0147 a + 1.3904
N1= 0.9026 a + 112.55
P1= 1.1469 a + 4464
【００２４】
項２．  HFC-32及びHFO-1234ze(E)を含み、HFC-32及びHFO-1234ze(E)の合計100重量%に対し液相においてHFC-32が10〜90重量％の量で存在する混合冷媒を、供給用容器より供給先の容器及び機器へ液で移充填する際に、
移充填開始から完了までの、前記供給用容器内の前記混合冷媒中のHFC-32の液相混合比を、HFC-32の目標上限組成(x)から目標上限組成(x)−3.0重量%（目標下限組成）の範囲に収めるため、
移充填直前の、前記供給用容器内の前記混合冷媒のHFC-32の液相混合比（初期組成）を、x+y2(最小値)〜x％(目標上限組成)にすることを特徴とする、混合冷媒の充填方法。
【００２５】
a：供給用容器における初期充填量（重量%）
x：目標上限組成である（10≦x≦90、ただしy2＞0となる範囲を除く）。
y2：初期組成における目標上限組成とのずれの下限値で、次の式(7)で表される値である。
【００２６】
1000y2 = L2x3- M2x2 + N2x - P2        (7)
L2= 0.0006 a + 0.0033
M2= 0.0149 a + 1.3265
N2= 0.9005 a + 106.38
P2= 0.8193 a + 3287.8
【００２７】
項３．  HFC-32及びHFO-1234ze(E)を含み、HFC-32及びHFO-1234ze（E）の合計100重量%に対し液相においてHFC-32が10〜90重量％の量で存在する混合冷媒を、供給用容器より供給先の容器及び機器へ液で移充填する際に、
移充填開始から完了までの、前記供給用容器内の前記混合冷媒中のHFC-32の液相混合比を、HFC-32の目標上限組成(x)から目標上限組成(x)−2.0重量%（目標下限組成）の範囲に収めるため、
移充填直前の、前記供給用容器内の前記混合冷媒のHFC-32の液相混合比（初期組成）を、x+y3(最小値)〜x％(目標上限組成)にすることを特徴とする、混合冷媒の充填方法。
【００２８】
a：供給用容器における初期充填量（重量%）
x：目標上限組成である（10≦x≦18.0重量%又は76.0≦x≦90、ただしy3＞0となる範囲を除く）。
y3：初期組成における目標上限組成とのずれの下限値で、次の式(13)で表される値である。
【００２９】
1000y3= L3x3 - M3x2+ N3x - P3        (13)
L3= 0.0006 a + 0.0033
M3= 0.0137 a + 1.3646
N3= 0.8276 a + 105.68
P3= -0.5186 a + 2205.2
【００３０】
(1)目標上限組成と目標下限組成の差が4重量％である場合の充填方法
供給用容器より供給先の容器及び機器へ混合冷媒を移充填する時に、移充填開始から完了までの、供給用容器内における混合冷媒中のHFC-32の液相混合比を、HFC-32の目標上限組成(x)から目標上限組成(x)−4.0重量％（目標下限組成）の範囲に収めるための、移充填を実施する前の供給用容器内における混合冷媒の混合比について説明する。
【００３１】
前記「目標上限組成：(x)」は、供給先の容器・機器において求められる、HFC-32/HFO-1234ze(E)混合冷媒の全体組成（液相＋気相）におけるHFC-32の組成が、この範囲内にあることを許容される、最大値である。X（重量％）は、10≦x≦90の範囲内の数値である。前記「目標下限組成：(x)−4重量％」とは、供給先の容器・機器において求められる、HFC-32/HFO-1234ze(E)混合冷媒の全体組成（液相＋気相）におけるHFC-32の組成が、この範囲内にあることを許容される最小値である。
【００３２】
(1-1)目標上限組成と目標下限組成の差が4重量％である場合の充填方法
容器への混合冷媒の充填量が適宜調節される場合の、本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器より、供給先の容器及び機器へ液で移充填を実施する際に、移充填開始から完了までの前記供給用容器内における前記混合冷媒中のHFC-32の液相混合比を、HFC-32の目標上限組成(x)−4.0重量％（目標下限組成）から目標上限組成(x)の範囲に収めるため、移充填を実施する直前の前記供給用容器内における前記混合冷媒のHFC-32の液相混合比（初期組成）を、x+y1(最小値)〜x％(目標上限組成)にすることを特徴とする。
【００３３】
a：供給用容器における初期充填量（重量%）
x：目標上限組成である（重量%、10≦x≦90、ただしy1＞0となる範囲を除く）。
y1：初期組成における目標上限組成とのずれの下限値で、次の式(1)で表される値である。
【００３４】
1000y1 = L1x3- M1x2 + N1x - P1        (1)
L1= 0.0006 a + 0.0033
M1= 0.0147 a + 1.3904
N1= 0.9026 a + 112.55
P1= 1.1469 a + 4464
【００３５】
本発明の混合冷媒の充填方法によれば、供給用容器の混合冷媒の充填量が最大充填量の100重量％であっても、移充填を実施する前の、供給用容器内におけるHFC-32の液相混合比を特定の範囲に設定することで、供給先の容器及び機器内での組成変化を、移充填が完了するまで、目標上限組成(x)−4.0重量％（目標下限組成）から目標上限組成(x)の範囲に収める事ができる。
【００３６】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標とする組成より多く充填することが好ましい。
【００３７】
また、前記aの値は、通常60≦a≦100の範囲に設定される。
【００３８】
以下、移充填方法の一例として移充填時の取扱い温度が40℃のときを示す。例えば日本の高圧ガス保安法においては、40℃以上での容器の取り扱いを禁じていることから、日本における移充填時の取扱い温度は0〜40℃である。そして、移充填時（取扱い時）の温度が高いほど、供給用容器より、供給先の容器及び機器へ液で移充填する際に、移充填開始から完了までの、移充填による組成変化が大きくなる。よって、取扱い温度40℃時における移充填の条件を応用することで、取扱い温度0〜40℃についても適用可能である。
【００３９】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がa重量%である充填方法を満たす数式は、初期充填量がa重量%以下である充填方法においても満たされる。例えば、初期充填量が100重量%である充填方法を満たす数式は、初期充填量が100〜0重量%である充填方法においても満たされる。初期充填量が90重量%である充填方法を満たす数式は、初期充填量が90〜0重量%である充填方法においても満たされる。初期充填量が80重量%である充填方法を満たす数式は、初期充填量が80〜0重量%である充填方法においても満たされる。初期充填量が70重量%である充填方法を満たす数式は、初期充填量が70〜0重量%である充填方法においても満たされる。初期充填量が60重量%である充填方法を満たす数式は、初期充填量が60〜0重量%である充填方法においても満たされる。
【００４０】
供給用容器内の混合冷媒中のHFC-32の液相混合比
本発明は、HFC-32の目標上限組成(x)−4.0重量％（目標下限組成）から目標上限組成(x)の範囲に収めるため、移充填直前の、供給用容器内における混合冷媒のHFC-32の液相混合比（初期組成）を、x+y1(最小値)〜x％(目標上限組成)にすることが特徴である。
【００４１】
xは目標上限組成であり、y1は初期組成における目標上限組成（x）とのずれを示す。x+y1は、供給用容器内の混合冷媒のHFC-32の液相混合比（初期組成）の最小値を示す。
【００４２】
前記目標上限組成と目標下限組成との差は公差（Composition Tolerances）と呼ばれる。公差は、混合冷媒の組成がASHRAE規格2013（Designation and Safety Classification of Refrigerants）等に登録された際に決まるものである。
【００４３】
HFC-32及びHFO-1234ze(E)を含む混合冷媒において、HFC-32とHFO-1234ze(E)との混合比が、例えば50：50（重量%）である場合を説明する。この混合冷媒（HFC-32／HFO-1234ze(E)）において、公差が例えば+2.0、-2.0／+2.0、-2.0と設定された場合、HFC-32の目標上限組成は52.0重量%となり、HFC-32の目標下限組成は48.0重量%となる。目標上限組成と目標下限組成との差が4重量%という混合冷媒になる。
【００４４】
(1-2)容器への混合冷媒の充填量が最大充填量の100重量%の場合の充填方法
容器への混合冷媒の充填量が最大充填量の100重量%であって、供給用容器内の前記混合冷媒中のHFC-32の液相混合比を、目標上限組成(x)−4.0重量％（目標下限組成）から目標上限組成(x)の範囲に収めるときを説明する。
【００４５】
本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器に最大充填量の100重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−4.0重量％（目標下限組成）から目標上限組成(x)の範囲に収めるため、移充填直前の、前記供給用容器内における前記混合冷媒のHFC-32の液相混合比（初期組成）を、x+y1(最小値)〜x％(目標上限組成)にすることが好ましい。
【００４６】
前記xは、目標上限組成である（但し、10≦x≦90を満たす）。
【００４７】
yP1は、初期組成における目標上限組成とのずれの下限値で、次の式(2)で表される値である。
【００４８】
1000yP1 = 0.009x3- 2.8565x2+ 202.202x- 4579.154       (2)
【００４９】
本発明は、上記式(2)から、HFC-32/HFO-1234ze(E)混合冷媒を、供給用容器より供給先の容器及び機器へ移充填を実施する際に、移充填を実施する前の供給用容器内のHFC-32の液相混合比を、x-2.7重量％程度〜x重量％にすることで、供給先の容器及び機器内での組成変化を、移充填が完了するまで、目標上限組成(x)−4.0重量％（目標下限組成）から目標上限組成(x)の範囲に収める事ができる。
【００５０】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−4.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【００５１】
また、HFC-32が90重量％含まれる場合、組成変化が小さいことから、HFC-32の初期組成が、目標上限組成に対して、-2.5重量％程度であったとしても、移充填が完了するまで、HFC-32の液相混合比を目標上限組成(x)−4.0重量％（目標下限組成）から目標上限組成(x)の範囲に収めることができる。
【００５２】
(1-3)容器への混合冷媒の充填量が最大充填量の90重量%の場合の充填方法
容器への混合冷媒の充填量が最大充填量の90重量%であって、供給用容器内における前記混合冷媒中のHFC-32の液相混合比を、目標上限組成(x)−4.0重量％（目標下限組成）から目標上限組成(x)の範囲に収めるときを説明する。
【００５３】
本発明の混合冷媒の充填方法は、HFC-32及びHFO-1234ze(E) を含み、HFC-32及びHFO-1234ze(E) の合計100重量%に対し液相においてHFC-32が10〜90重量％の量で存在する混合冷媒を、供給用容器に最大充填量の90重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−4.0重量％（目標下限組成）から目標上限組成(x)の範囲に収めるため、移充填直前の、前記供給用容器内の前記混合冷媒のHFC-32の液相混合比（初期組成）を、x+yP2〜x重量％にすることが好ましい。
【００５４】
前記xは、目標上限組成である（但し、10≦x≦90を満たす）。
【００５５】
yP2は、初期組成における目標上限組成とのずれの下限値で、次の式(3)で表される値である。
【００５６】
1000yP2 = 0.0089x3- 2.714x2+ 194.2292x- 4574.474        (3)
【００５７】
本発明は、上記式(3)から、HFC-32/HFO-1234ze(E)混合冷媒を、供給用容器より供給先の容器及び機器へ移充填する際に、移充填する前の供給用容器内のHFC-32の液相混合比を、x-2.8重量％程度〜x重量％にすることで、供給先の容器及び機器内での組成変化を、移充填が完了するまで、目標上限組成(x)−4.0重量％（目標下限組成）から目標上限組成(x)の範囲に収める事ができる。
【００５８】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−4.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【００５９】
また、HFC-32が90重量％含まれる場合、組成変化が小さいことから、HFC-32の初期組成が、目標上限組成に対して、-2.6重量％程度であったとしても、移充填が完了するまで、HFC-32の液相混合比を目標上限組成(x)−4.0重量％（目標下限組成）から目標上限組成(x)の範囲に収めることができる。
【００６０】
(1-4)容器への混合冷媒の充填量が最大充填量の80重量%の場合の充填方法
容器への混合冷媒の充填量が最大充填量の80重量%であって、供給用容器内の前記混合冷媒中のHFC-32の液相混合比を、目標上限組成(x)−4.0重量％（目標下限組成）から目標上限組成(x)の範囲に収めるときを説明する。
【００６１】
本発明の混合冷媒の充填方法は、HFC-32及びHFO-1234ze(E)を含み、HFC-32及びHFO-1234ze(E) の合計100重量%に対し液相においてHFC-32が10〜90重量％の量で存在する混合冷媒を、供給用容器に最大充填量の80重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−4.0重量％（目標下限組成）から目標上限組成(x)の範囲に収めるため、移充填直前の、前記供給用容器内の前記混合冷媒のHFC-32の液相混合比（初期組成）を、x+yP3〜x重量％にすることが好ましい。
【００６２】
前記xは、目標上限組成である（但し、10≦x≦90を満たす）。
【００６３】
yP3は、初期組成における目標上限組成とのずれの下限値で、次の式(4)で表される値である。
【００６４】
1000yP3 = 0.0084x3- 2.5913x2+ 185.8744x- 4552.951        (4)
【００６５】
本発明は、上記式(4)から、HFC-32/HFO-1234ze(E)混合冷媒を、供給用容器より供給先の容器及び機器へ移充填する際に、移充填する前の供給用容器内のHFC-32の液相混合比を、x-2.8重量％程度〜x重量％にすることで、供給先の容器及び機器内での組成変化を、移充填が完了するまで、目標上限組成(x)−4.0重量％（目標下限組成）から目標上限組成(x)の範囲に収める事ができる。
【００６６】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−4.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【００６７】
また、HFC-32が90重量％含まれる場合、組成変化が小さいことから、HFC-32の初期組成が、目標上限組成に対して、-2.6重量％程度であったとしても、移充填が完了するまで、HFC-32の液相混合比を目標上限組成(x)−4.0重量％（目標下限組成）から目標上限組成(x)の範囲に収めることができる。
【００６８】
(1-5)容器への混合冷媒の充填量が最大充填量の70重量%の場合の充填方法
容器への混合冷媒の充填量が最大充填量の70重量%であって、供給用容器内の前記混合冷媒中のHFC-32の液相混合比を、目標上限組成(x)−4.0重量％（目標下限組成）から目標上限組成(x)の範囲に収めるときを説明する。
【００６９】
本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器に最大充填量の70重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−4.0重量％（目標下限組成）から目標上限組成(x)の範囲に収めるため、移充填直前の、前記供給用容器内の前記混合冷媒のHFC-32の液相混合比（初期組成）を、x+yP4〜x重量％にすることが好ましい。
【００７０】
前記xは、目標上限組成である（但し、10≦x≦90を満たす）。
【００７１】
yP4は、初期組成における目標上限組成とのずれの下限値で、次の式(5)で表される値である。
【００７２】
1000yP4 = 0.0075x3- 2.3976x2+ 174.6504x- 4526.37        (5)
【００７３】
本発明は、上記式(5)から、HFC-32/HFO-1234ze(E)混合冷媒を、供給用容器より供給先の容器及び機器へ移充填する際に、移充填する前の供給用容器内のHFC-32の液相混合比を、x-2.9重量％程度〜x重量％にすることで、供給先の容器及び機器内での組成変化を、移充填が完了するまで、目標上限組成(x)−4.0重量％（目標下限組成）から目標上限組成(x)の範囲に収める事ができる。
【００７４】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−4.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【００７５】
また、HFC-32が90重量％含まれる場合、組成変化が小さいことから、HFC-32の初期組成が、目標上限組成に対して、-2.7重量％程度であったとしても、移充填が完了するまで、HFC-32の液相混合比を目標上限組成(x)−4.0重量％（目標下限組成）から目標上限組成(x)の範囲に収めることができる。
【００７６】
(1-6)容器への混合冷媒の充填量が最大充填量の60重量%の場合の充填方法
容器への混合冷媒の充填量が最大充填量の60重量%であって、供給用容器内の前記混合冷媒中のHFC-32の液相混合比を、目標上限組成(x)−4.0重量％（目標下限組成）から目標上限組成(x)の範囲に収めるときを説明する。
【００７７】
本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器に最大充填量の60重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−4.0重量％（目標下限組成）から目標上限組成(x)の範囲に収めるため、移充填直前の、前記供給用容器内の前記混合冷媒のHFC-32の液相混合比（初期組成）を、x+yP5〜x重量％にすることが好ましい。
【００７８】
前記xは、目標上限組成である（但し、10≦x≦90を満たす）。
【００７９】
yP5は、初期組成における目標上限組成とのずれの下限値で、次の式(6)で表される値である。
【００８０】
1000yP5 = 0.0071x3- 2.2789x2+ 166.8604x- 4545.862       (6)
【００８１】
本発明は、上記式(6)から、HFC-32/HFO-1234ze(E)混合冷媒を、供給用容器より供給先の容器及び機器へ移充填する際に、移充填する前の供給用容器内のHFC-32の液相混合比を、x-2.9重量％程度〜x重量％にすることで、供給先の容器及び機器内での組成変化を、移充填が完了するまで、目標上限組成(x)−4.0重量％（目標下限組成）から目標上限組成(x)の範囲に収める事ができる。
【００８２】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−4.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【００８３】
また、HFC-32が90重量％含まれる場合、組成変化が小さいことから、HFC-32の初期組成が、目標上限組成に対して、-2.8重量％程度であったとしても、移充填が完了するまで、HFC-32の液相混合比を目標上限組成(x)−4.0重量％（目標下限組成）から目標上限組成(x)の範囲に収めることができる。
【００８４】
(1-7)HFC-32及びHFO-1234ze(E)を含む非共沸混合冷媒の充填方法
HFC-32及びHFO-1234ze(E)からなる非共沸混合冷媒の、HFC-32の目標上限組成(x)−4.0重量％（目標下限組成）から目標上限組成(x)の範囲に収める充填方法について説明する。
【００８５】
上記式(1)は、上記式(2)〜(6)から導き出すことができる。上記式(2)〜(6)の各係数の値を基に、目標上限組成(x)から、初期充填量（a重量%）に対して式(1)のL1〜P1を導き出すことができる。
【００８６】
本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標上限組成(x)−4.0重量％（目標下限組成）から目標上限組成(x)の範囲に収めるため、移充填直前の、前記供給用容器内の前記混合冷媒のHFC-32の液相混合比（初期組成）を、x+ y1 (最小値)〜x (最大値)重量％にすることを特徴とする。
【００８７】
a：供給用容器における初期充填量（重量%）
x：目標上限組成である（重量%、10≦x≦90、ただしy1＞0となる範囲を除く）。
y1：初期組成における目標上限組成とのずれの下限値で、次の式(1)で表される値である。
【００８８】
1000y1 = L1x3- M1x2 + N1x - P1        (1)
L1= 0.0006 a + 0.0033
M1= 0.0147 a + 1.3904
N1= 0.9026 a + 112.55
P1= 1.1469 a + 4464
【００８９】
(2)目標上限組成と目標下限組成の差が3重量％である場合の充填方法
供給用容器より供給先の容器及び機器へ混合冷媒を移充填する時に、移充填開始から完了までの、供給用容器内の混合冷媒中のHFC-32の液相混合比を、HFC-32の目標上限組成(x)−3.0重量％（目標下限組成）から目標上限組成(x)の範囲に収めるための、移充填する前の供給用容器内の混合冷媒の混合比について説明する。
【００９０】
前記「目標上限組成：(x)」は、供給先の容器・機器において求められる、HFC-32/HFO-1234ze(E)混合冷媒の全体組成（液相＋気相）におけるHFC-32の組成が、この範囲内にあることを許容される、最大値である。X（重量％）は、10≦x≦90の範囲内の数値である。前記「目標下限組成：(x)−3重量％」は、供給先の容器・機器において求められる、HFC-32/HFO-1234ze(E)混合冷媒の全体組成（液相＋気相）におけるHFC-32の組成が、この範囲内にあることを許容される、最小値である。
【００９１】
(2-1)目標上限組成と目標下限組成の差が3重量％である場合の充填方法
容器への混合冷媒の充填量が適宜調節される場合の、本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標上限組成(x)−3.0重量％（目標下限組成）から目標上限組成(x)の範囲に収めるため、移充填直前の、前記供給用容器内の前記混合冷媒のHFC-32の液相混合比（初期組成）を、x+y2(最小値)〜x重量％(最大値)にすることを特徴とする。
【００９２】
a：供給用容器における初期充填量（重量%）
x：目標上限組成である（重量%、10≦x≦90、ただしy2＞0となる範囲を除く）。
y2：初期組成における目標上限組成とのずれの下限値で、次の式(7)で表される値である。
【００９３】
1000y2 = L2x3- M2x2 + N2x - P2        (7)
L2= 0.0006 a + 0.0033
M2= 0.0149 a + 1.3265
N2= 0.9005 a + 106.38
P2= 0.8193 a + 3287.8
【００９４】
本発明の混合冷媒の充填方法によれば、供給用容器の混合冷媒の充填量が最大充填量の100重量％であっても、移充填する前の、供給用容器内のHFC-32の液相混合比を特定の範囲に設定することで、供給先の容器及び機器内での組成変化を、移充填が完了するまで、目標上限組成(x)−3.0重量％（目標下限組成）から目標上限組成(x)の範囲に収める事ができる。
【００９５】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。
【００９６】
また、前期aの値は、通常60≦a≦100の範囲に設定される。
【００９７】
以下、移充填方法は、一例として移充填時の取扱い温度が40℃のときを示す。例えば日本の高圧ガス保安法においては、40℃以上での容器の取り扱いを禁じていることから、特に日本における移充填時の取扱い温度は0〜40℃である。そして、移充填時（取扱い時）の温度が高いほど、供給用容器より、供給先の容器及び機器へ液で移充填する際に、移充填開始から完了までの、移充填による組成変化が大きくなる。よって、取扱い温度40℃時のときの移充填の条件を応用することで、取扱い温度0〜40℃についても適用可能である。
【００９８】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がa重量%である充填方法を満たす数式は、初期充填量がa重量%以下である充填方法においても満たされる。例えば、初期充填量が100重量%である充填方法を満たす数式は、初期充填量が100〜0重量%である充填方法においても満たされる。初期充填量が90重量%である充填方法を満たす数式は、初期充填量が90〜0重量%である充填方法においても満たされる。初期充填量が80重量%である充填方法を満たす数式は、初期充填量が80〜0重量%である充填方法においても満たされる。初期充填量が70重量%である充填方法を満たす数式は、初期充填量が70〜0重量%である充填方法においても満たされる。初期充填量が60重量%である充填方法を満たす数式は、初期充填量が60〜0重量%である充填方法においても満たされる。
【００９９】
供給用容器内の混合冷媒中のHFC-32の液相混合比
本発明は、HFC-32の目標上限組成(x)−3.0重量％（目標下限組成）から目標上限組成(x)の範囲に収めるため、移充填直前の、供給用容器内の混合冷媒のHFC-32の液相混合比（初期組成）を、x+ y2(最小値)〜x％(目標上限組成)にすることが特徴である。
【０１００】
xは目標上限組成であり、y2は初期組成における目標上限組成（x）とのずれを示す。x+ y2は、供給用容器内の混合冷媒のHFC-32の液相混合比（初期組成）の最小値を示す。
【０１０１】
前記目標上限組成と目標下限組成との差は公差（Composition Tolerances）と呼ばれる。公差は、混合冷媒の組成がASHRAE規格2013に登録された際に決まるものである。
【０１０２】
HFC-32及びHFO-1234ze(E)を含む混合冷媒において、HFC-32とHFO-1234ze(E)との混合比が、例えば50：50（重量%）である場合を説明する。この混合冷媒（HFC-32／HFO-1234ze(E)）において、公差が例えば+1.5、-1.5／+1.5、-1.5と設定された場合、HFC-32の目標上限組成は51.5重量%となり、HFC-32の目標下限組成は48.5重量%となる。目標上限組成と目標下限組成との差が3重量%という混合冷媒になる。
【０１０３】
(2-2)容器への混合冷媒の充填量が最大充填量の100重量%の場合の充填方法
容器への混合冷媒の充填量が最大充填量の100重量%であって、供給用容器内の前記混合冷媒中のHFC-32の液相混合比を、目標上限組成(x)−3.0重量％（目標下限組成）から目標上限組成(x)の範囲に収めるときを説明する。
【０１０４】
本発明の混合冷媒の充填方法は、HFC-32及びHFO-1234ze(E) を含み、HFC-32及びHFO-1234ze(E) の合計100重量%に対し液相においてHFC-32が10〜25.5重量％又は66.5〜90重量％の量で存在する混合冷媒を、供給用容器に最大充填量の100重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−3.0重量％（目標下限組成）から目標上限組成(x)の範囲に収めるため、移充填直前の、前記供給用容器内の前記混合冷媒のHFC-32の液相混合比（初期組成）を、x+yQ1〜x重量％にすることが好ましい。
【０１０５】
前記xは、目標上限組成である（但し、10≦x≦25.5又は66.5≦x≦90を満たす）。
【０１０６】
yQ1は、初期組成における目標上限組成とのずれの下限値で、次の式(8)で表される値である。
【０１０７】
1000yQ1 = 0.0093x3- 2.79655x2+ 194.9369x- 3361.644        (8)
【０１０８】
本発明は、上記式(8)から、HFC-32/HFO-1234ze(E)混合冷媒を、供給用容器より供給先の容器及び機器へ移充填する際に、移充填する前の供給用容器内のHFC-32の液相混合比を、x-1.8重量％程度〜x重量％にすることで、供給先の容器及び機器内での組成変化を、移充填が完了するまで、目標上限組成(x)−3.0重量％（目標下限組成）から目標上限組成(x)の範囲に収める事ができる。
【０１０９】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−3.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１１０】
また、HFC-32が90重量％含まれる場合、組成変化が小さいことから、HFC-32の初期組成が、目標上限組成に対して、-1.6重量％程度であったとしても、移充填が完了するまで、HFC-32の液相混合比を目標上限組成(x)−3.0重量％（目標下限組成）から目標上限組成(x)の範囲に収めることができる。
【０１１１】
(2-3)容器への混合冷媒の充填量が最大充填量の90重量%の場合の充填方法
容器への混合冷媒の充填量が最大充填量の90重量%であって、供給用容器内の前記混合冷媒中のHFC-32の液相混合比を、目標上限組成(x)−3.0重量％（目標下限組成）から目標上限組成(x)の範囲に収めるときを説明する。
【０１１２】
本発明の混合冷媒の充填方法は、HFC-32及びHFO-1234ze(E) を含み、HFC-32及びHFO-1234ze(E) の合計100重量%に対し液相においてHFC-32が10〜27.5重量％又は64.5〜90重量％の量で存在する混合冷媒を、供給用容器に最大充填量の90重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−3.0重量％（目標下限組成）から目標上限組成(x)の範囲に収めるため、移充填直前の、前記供給用容器内の前記混合冷媒のHFC-32の液相混合比（初期組成）を、x+yQ2〜x重量％にすることが好ましい。
【０１１３】
前記xは、目標上限組成である（但し、10≦x≦27.5又は64.5≦x≦90を満たす）。
【０１１４】
yQ2は、初期組成における目標上限組成とのずれの下限値で、次の式(9)で表される値である。
【０１１５】
1000yQ2 = 0.0089x3- 2.69275x2+ 188.6282x- 3367.314       (9)
【０１１６】
本発明は、上記式(9)から、HFC-32/HFO-1234ze(E)混合冷媒を、供給用容器より供給先の容器及び機器へ移充填する際に、移充填する前の供給用容器内のHFC-32の液相混合比を、x-1.8重量％程度〜x重量％にすることで、供給先の容器及び機器内での組成変化を、移充填が完了するまで、目標上限組成(x)−3.0重量％（目標下限組成）から目標上限組成(x)の範囲に収める事ができる。
【０１１７】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−3.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１１８】
また、HFC-32が90重量％含まれる場合、組成変化が小さいことから、HFC-32の初期組成が、目標上限組成に対して、-1.7重量％程度であったとしても、移充填が完了するまで、HFC-32の液相混合比を目標上限組成(x)−3.0重量％（目標下限組成）から目標上限組成(x)の範囲に収めることができる。
【０１１９】
(2-4)容器への混合冷媒の充填量が最大充填量の80重量%の場合の充填方法
容器への混合冷媒の充填量が最大充填量の80重量%であって、供給用容器内の前記混合冷媒中のHFC-32の液相混合比を、目標上限組成(x)−3.0重量％（目標下限組成）から目標上限組成(x)の範囲に収めるときを説明する。
【０１２０】
本発明の混合冷媒の充填方法は、HFC-32及びHFO-1234ze(E)を含み、HFC-32及びHFO-1234ze(E) の合計100重量%に対し液相においてHFC-32が10〜30.0重量％又は61.5〜90重量％の量で存在する混合冷媒を、供給用容器に最大充填量の80重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−3.0重量％（目標下限組成）から目標上限組成(x)の範囲に収めるため、移充填直前の、前記供給用容器内の前記混合冷媒のHFC-32の液相混合比（初期組成）を、x+yQ3〜x重量％にすることが好ましい。
【０１２１】
前記xは、目標上限組成である（但し、10≦x≦30.0又は61.5≦x≦90を満たす）。
【０１２２】
yQ3は、初期組成における目標上限組成とのずれの下限値で、次の式(10)で表される値である。
【０１２３】
1000yQ3 = 0.0083x3- 2.54425x2+ 180.1067x- 3371.564        (10)
【０１２４】
本発明は、上記式(10)から、HFC-32/HFO-1234ze(E)混合冷媒を、供給用容器より供給先の容器及び機器へ移充填する際に、移充填する前の供給用容器内のHFC-32の液相混合比を、x-1.8重量％程度〜x重量％にすることで、供給先の容器及び機器内での組成変化を、移充填が完了するまで、目標上限組成(x)−3.0重量％（目標下限組成）から目標上限組成(x)の範囲に収める事ができる。
【０１２５】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−3.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１２６】
また、HFC-32が90重量％含まれる場合、組成変化が小さいことから、HFC-32の初期組成が、目標上限組成に対して、-1.7重量％程度であったとしても、移充填が完了するまで、HFC-32の液相混合比を目標上限組成(x)−3.0重量％（目標下限組成）から目標上限組成(x)の範囲に収めることができる。
【０１２７】
(2-5)容器への混合冷媒の充填量が最大充填量の70重量%の場合の充填方法
容器への混合冷媒の充填量が最大充填量の70重量%であって、供給用容器内の前記混合冷媒中のHFC-32の液相混合比を、目標上限組成(x)−3.0重量％（目標下限組成）から目標上限組成(x)の範囲に収めるときを説明する。
【０１２８】
本発明の混合冷媒の充填方法は、HFC-32及びHFO-1234ze(E)を含み、HFC-32及びHFO-1234ze(E)の合計100重量%に対し液相においてHFC-32が10〜32.0重量％又は56.0〜90重量％の量で存在する混合冷媒を、供給用容器に最大充填量の70重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−3.0重量％（目標下限組成）から目標上限組成(x)の範囲に収めるため、移充填直前の、前記供給用容器内の前記混合冷媒のHFC-32の液相混合比（初期組成）を、x+yQ4〜x重量％にすることが好ましい。
【０１２９】
前記xは、目標上限組成である（但し、10≦x≦32.0又は56.0≦x≦90を満たす）。
【０１３０】
yQ4は、初期組成における目標上限組成とのずれの下限値で、次の式(11)で表される値である。
【０１３１】
1000yQ4 = 0.0074x3- 2.3485x2+ 168.4156x- 3324.164        (11)
【０１３２】
本発明は、上記式(11)から、HFC-32/HFO-1234ze(E)混合冷媒を、供給用容器より供給先の容器及び機器へ移充填する際に、移充填する前の供給用容器内のHFC-32の液相混合比を、x-1.9重量％程度〜x重量％にすることで、供給先の容器及び機器内での組成変化を、移充填が完了するまで、目標上限組成(x)−3.0重量％（目標下限組成）から目標上限組成(x)の範囲に収める事ができる。
【０１３３】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−3.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１３４】
また、HFC-32が90重量％含まれる場合、組成変化が小さいことから、HFC-32の初期組成が、目標上限組成に対して、-1.8重量％程度であったとしても、移充填が完了するまで、HFC-32の液相混合比を目標上限組成(x)−3.0重量％（目標下限組成）から目標上限組成(x)の範囲に収めることができる。
【０１３５】
(2-6)容器への混合冷媒の充填量が最大充填量の60重量%の場合の充填方法
容器への混合冷媒の充填量が最大充填量の60重量%であって、供給用容器内の前記混合冷媒中のHFC-32の液相混合比を、目標上限組成(x)−3.0重量％（目標下限組成）から目標上限組成(x)の範囲に収めるときを説明する。
【０１３６】
本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器に最大充填量の60重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−3.0重量％（目標下限組成）から目標上限組成(x)の範囲に収めるため、移充填直前の、前記供給用容器内の前記混合冷媒のHFC-32の液相混合比（初期組成）を、x+yQ5〜x重量％にすることが好ましい。
【０１３７】
前記xは、目標上限組成である（但し、10≦x≦90を満たす）。
【０１３８】
yQ5は、初期組成における目標上限組成とのずれの下限値で、次の式(12)で表される値である。
【０１３９】
1000yQ5 = 0.0070x3- 2.2222x2+ 160.0194x- 3342.253        (12)
【０１４０】
本発明は、上記式(12)から、HFC-32/HFO-1234ze(E)混合冷媒を、供給用容器より供給先の容器及び機器へ移充填する際に、移充填する前の供給用容器内のHFC-32の液相混合比を、x-1.9重量％程度〜x重量％にすることで、供給先の容器及び機器内での組成変化を、移充填が完了するまで、目標上限組成(x)−3.0重量％（目標下限組成）から目標上限組成(x)の範囲に収める事ができる。
【０１４１】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−3.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１４２】
また、HFC-32が90重量％含まれる場合、組成変化が小さいことから、HFC-32の初期組成が、目標上限組成に対して、-1.8重量％程度であったとしても、移充填が完了するまで、HFC-32の液相混合比を目標上限組成(x)−3.0重量％（目標下限組成）から目標上限組成(x)の範囲に収めることができる。
【０１４３】
(2-7)HFC-32及びHFO-1234ze(E)を含む非共沸混合冷媒の充填方法
HFC-32及びHFO-1234ze(E)からなる非共沸混合冷媒の、HFC-32の目標上限組成(x)−3.0重量％（目標下限組成）から目標上限組成(x)の範囲に収める充填方法について説明する。
【０１４４】
上記式(7)は、上記式(8)〜(12)から導き出すことができる。上記式(8)〜(12)の各係数の値を基に、目標上限組成(x)から、初期充填量（a重量%）に対して式(7)のL2〜P2を導き出すことができる。
【０１４５】
本発明の混合冷媒の充填方法は、HFC-32及びHFO-1234ze(E)を含み、HFC-32及びHFO-1234ze(E)の合計100重量%に対し液相においてHFC-32が10〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標上限組成(x)−3.0重量％（目標下限組成）から目標上限組成(x)の範囲に収めるため、移充填直前の、前記供給用容器内の前記混合冷媒のHFC-32の液相混合比（初期組成）を、x+ y2 (最小値)〜x (最大値)重量％にすることを特徴とする。
【０１４６】
ここで、前記本発明の概念の通り、目標上限組成(x)と目標下限組成の差が−3.0重量％の場合、供給用容器に最大充填量の100重量％以下の量で充填されている場合、25.5＜x＜66.5ではyQ1＞0となってしまうため、xの範囲は10〜25.5重量％又は66.5〜90重量％となる。
【０１４７】
供給用容器に最大充填量の90重量％以下の量で充填されている場合、27.5＜x＜64.5ではyQ2＞0となってしまうため、xの範囲は10〜27.5重量％又は64.5〜90重量％となる。
【０１４８】
供給用容器に最大充填量の80重量％以下の量で充填されている場合、30.0＜x＜61.5ではyQ2＞0となってしまうため、xの範囲は10〜30.0重量％又は61.5〜90重量％となる。
【０１４９】
供給用容器に最大充填量の70重量％以下の量で充填されている場合、32.0＜x＜56.0ではyQ2＞0となってしまうため、xの範囲は10〜32.0重量％又は56.0〜90重量％となる。
【０１５０】
a：供給用容器における初期充填量（重量%）
x：目標上限組成である（重量%、10≦x≦90、ただしy2＞0となる範囲を除く）。
y2：初期組成における目標上限組成とのずれの下限値で、次の式(7)で表される値である。
【０１５１】
1000y2 = L2x3- M2x2 + N2x - P2        (7)
L2= 0.0006 a + 0.0033
M2= 0.0149 a + 1.3265
N2= 0.9005 a + 106.38
P2= 0.8193 a + 3287.8
【０１５２】
(3)目標上限組成と目標下限組成の差が2重量％である場合の充填方法
供給用容器より供給先の容器及び機器へ混合冷媒を移充填する時に、移充填開始から完了までの、供給用容器内の混合冷媒中のHFC-32の液相混合比を、HFC-32の目標上限組成(x)−2.0重量％（目標下限組成）から目標上限組成(x)の範囲に収めるための、移充填する前の供給用容器内の混合冷媒の混合比について説明する。
【０１５３】
前記「目標上限組成：(x)」は、供給先の容器・機器において求められる、HFC-32/HFO-1234ze(E)混合冷媒の全体組成（液相＋気相）におけるHFC-32の組成が、この範囲内にあることを許容される、最大値である。X（重量％）は、10≦x≦90の範囲内の数値である。前記「目標下限組成：(x)−2重量％」は、供給先の容器・機器において求められる、HFC-32/HFO-1234ze(E)混合冷媒の全体組成（液相＋気相）におけるHFC-32の組成が、この範囲内にあることを許容される、最小値である。
【０１５４】
(3-1)目標上限組成と目標下限組成の差が2重量％である場合の充填方法
容器への混合冷媒の充填量が適宜調節される場合の、本発明の混合冷媒の充填方法は、HFC-32及びHFO-1234ze(E)を含み、HFC-32及びHFO-1234ze(E)の合計100重量%に対し液相においてHFC-32が10〜18.0重量％又は76.0〜90重量％の量で存在する混合冷媒を、供給用容器より、供給先の容器及び機器へ液で移充填する際に、移充填開始から完了までの、前記供給用容器内の前記混合冷媒中のHFC-32の液相混合比を、HFC-32の目標上限組成(x)−2.0重量％（目標下限組成）から目標上限組成(x)の範囲に収めるため、移充填直前の、前記供給用容器内の前記混合冷媒のHFC-32の液相混合比（初期組成）を、x+y3(最小値)〜x重量％(最大値)にすることを特徴とする。
【０１５５】
a：供給用容器における初期充填量（重量%）
x：目標上限組成である（重量%、10≦x≦18.0又は76.0≦x≦90、ただしy3＞0なる範囲を除く）。
y3：初期組成における目標上限組成とのずれの下限値で、次の式(13)で表される値である。
【０１５６】
1000y3= L3x3 - M3x2+ N3x - P3        (13)
L3= 0.0006 a + 0.0033
M3= 0.0137 a + 1.3646
N3= 0.8276 a + 105.68
P3= -0.5186 a + 2205.2
【０１５７】
本発明の混合冷媒の充填方法によれば、供給用容器の混合冷媒の充填量が最大充填量の100重量％であっても、移充填する前の、供給用容器内のHFC-32の液相混合比を特定の範囲に設定することで、供給先の容器及び機器内での組成変化を、移充填が完了するまで、目標上限組成(x)−2.0重量％（目標下限組成）から目標上限組成(x)の範囲に収める事ができる。
【０１５８】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。
【０１５９】
また、前期aの値は、通常60≦a≦100の範囲に設定される。
【０１６０】
以下、移充填方法は、一例として移充填時の取扱い温度が40℃のときを示す。例えば日本の高圧ガス保安法においては、40℃以上での容器の取り扱いを禁じていることから、特に日本における移充填時の取扱い温度は0〜40℃である。そして、移充填時（取扱い時）の温度が高いほど、供給用容器より、供給先の容器及び機器へ液で移充填する際に、移充填開始から完了までの、移充填による組成変化が大きくなる。よって、取扱い温度40℃時のときの移充填の条件を応用することで、取扱い温度0〜40℃についても適用可能である。
【０１６１】
また、供給用容器における充填量に関しても、初期充填量が少ないほど、供給用容器より、供給先の容器及び機器へ液で移充填する際に、移充填開始から完了までの、移充填による組成変化の幅が小さくなる。よって、初期充填量がa重量%である充填方法を満たす数式は、初期充填量がa重量%以下である充填方法においても満たされる。例えば、初期充填量が100重量%である充填方法を満たす数式は、初期充填量が100〜0重量%である充填方法においても満たされる。初期充填量が90重量%である充填方法を満たす数式は、初期充填量が90〜0重量%である充填方法においても満たされる。初期充填量が80重量%である充填方法を満たす数式は、初期充填量が80〜0重量%である充填方法においても満たされる。初期充填量が70重量%である充填方法を満たす数式は、初期充填量が70〜0重量%である充填方法においても満たされる。初期充填量が60重量%である充填方法を満たす数式は、初期充填量が60〜0重量%である充填方法においても満たされる。
【０１６２】
供給用容器内の混合冷媒中のHFC-32の液相混合比
本発明は、HFC-32の目標上限組成(x)−2.0重量％（目標下限組成）から目標上限組成(x)の範囲に収めるため、移充填直前の、供給用容器内の混合冷媒のHFC-32の液相混合比（初期組成）を、x+ y3(最小値)〜x％(目標上限組成)にすることが特徴である。
【０１６３】
xは目標上限組成であり、y3は初期組成における目標上限組成（x）とのずれを示す。x+ y3は、供給用容器内の混合冷媒のHFC-32の液相混合比（初期組成）の最小値を示す。
【０１６４】
前記目標上限組成と目標下限組成との差は公差（Composition Tolerances）と呼ばれる。公差は、混合冷媒の組成がASHRAE規格2013に登録された際に決まるものである。
【０１６５】
HFC-32及びHFO-1234ze(E)を含む混合冷媒において、HFC-32とHFO-1234ze(E)との混合比が、例えば50：50（重量%）である場合を説明する。この混合冷媒（HFC-32／HFO-1234ze(E)）において、公差が例えば+1.0、-1.0／+1.0、-1.0と設定された場合、HFC-32の目標上限組成は51.0重量%となり、HFC-32の目標下限組成は49.0重量%となる。目標上限組成と目標下限組成との差が2重量%という混合冷媒になる。
【０１６６】
(3-2)容器への混合冷媒の充填量が最大充填量の100重量%の場合の充填方法
容器への混合冷媒の充填量が最大充填量の100重量%であって、供給用容器内の前記混合冷媒中のHFC-32の液相混合比を、目標上限組成(x)−2.0重量％（目標下限組成）から目標上限組成(x)の範囲に収めるときを説明する。
【０１６７】
本発明の混合冷媒の充填方法は、HFC-32及びHFO-1234ze(E) を含み、HFC-32及びHFO-1234ze(E) の合計100重量%に対し液相においてHFC-32が10〜14.0重量％又は81.0〜90重量％の量で存在する混合冷媒を、供給用容器に最大充填量の100重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−2.0重量％（目標下限組成）から目標上限組成(x)の範囲に収めるため、移充填直前の、前記供給用容器内の前記混合冷媒のHFC-32の液相混合比（初期組成）を、x+yR1〜x重量％にすることが好ましい。
【０１６８】
前記xは、目標上限組成である（但し、10≦x≦14.0又は81.0≦x≦90を満たす）。
【０１６９】
yR1は、初期組成における目標上限組成とのずれの下限値で、次の式(14)で表される値である。
【０１７０】
1000yR1 = 0.0088x3- 2.6875x2+ 186.3886x- 2144.11        (14)
【０１７１】
本発明は、上記式(14)から、HFC-32/HFO-1234ze(E)混合冷媒を、供給用容器より供給先の容器及び機器へ移充填する際に、移充填する前の供給用容器内のHFC-32の液相混合比を、x-0.8重量％程度〜x重量％にすることで、供給先の容器及び機器内での組成変化を、移充填が完了するまで、目標上限組成(x)−2.0重量％（目標下限組成）から目標上限組成(x)の範囲に収める事ができる。
【０１７２】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−2.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１７３】
また、HFC-32が90重量％含まれる場合、組成変化が小さいことから、HFC-32の初期組成が、目標上限組成に対して、-0.7重量％程度であったとしても、移充填が完了するまで、HFC-32の液相混合比を目標上限組成(x)−2.0重量％（目標下限組成）から目標上限組成(x)の範囲に収めることができる。
【０１７４】
(3-3)容器への混合冷媒の充填量が最大充填量の90重量%の場合の充填方法
容器への混合冷媒の充填量が最大充填量の90重量%であって、供給用容器内の前記混合冷媒中のHFC-32の液相混合比を、目標上限組成(x)−2.0重量％（目標下限組成）から目標上限組成(x)の範囲に収めるときを説明する。
【０１７５】
本発明の混合冷媒の充填方法は、HFC-32及びHFO-1234ze(E) を含み、HFC-32及びHFO-1234ze(E) の合計100重量%に対し液相においてHFC-32が10〜14.5重量％又は80.5〜90重量％の量で存在する混合冷媒を、供給用容器に最大充填量の90重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−2.0重量％（目標下限組成）から目標上限組成(x)の範囲に収めるため、移充填直前の、前記供給用容器内の前記混合冷媒のHFC-32の液相混合比（初期組成）を、x+yR2〜x重量％にすることが好ましい。
【０１７６】
前記xは、目標上限組成である（但し、10≦x≦14.5又は80.5≦x≦90を満たす）。
【０１７７】
yR2は、初期組成における目標上限組成とのずれの下限値で、次の式(15)で表される値である。
【０１７８】
1000yR2 = 0.0085x3- 2.6087x2+ 181.1319x- 2166.072        (15)
【０１７９】
本発明は、上記式(15)から、HFC-32/HFO-1234ze(E)混合冷媒を、供給用容器より供給先の容器及び機器へ移充填する際に、移充填する前の供給用容器内のHFC-32の液相混合比を、x-0.9重量％程度〜x重量％にすることで、供給先の容器及び機器内での組成変化を、移充填が完了するまで、目標上限組成(x)−2.0重量％（目標下限組成）から目標上限組成(x)の範囲に収める事ができる。
【０１８０】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−2.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１８１】
また、HFC-32が90重量％含まれる場合、組成変化が小さいことから、HFC-32の初期組成が、目標上限組成に対して、-0.8重量％程度であったとしても、移充填が完了するまで、HFC-32の液相混合比を目標上限組成(x)−2.0重量％（目標下限組成）から目標上限組成(x)の範囲に収めることができる。
【０１８２】
(3-4)容器への混合冷媒の充填量が最大充填量の80重量%の場合の充填方法
容器への混合冷媒の充填量が最大充填量の80重量%であって、供給用容器内の前記混合冷媒中のHFC-32の液相混合比を、目標上限組成(x)−2.0重量％（目標下限組成）から目標上限組成(x)の範囲に収めるときを説明する。
【０１８３】
本発明の混合冷媒の充填方法は、HFC-32及びHFO-1234ze(E)を含み、HFC-32及びHFO-1234ze(E) の合計100重量%に対し液相においてHFC-32が10〜15.5重量％又は79.5〜90重量％の量で存在する混合冷媒を、供給用容器に最大充填量の80重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−2.0重量％（目標下限組成）から目標上限組成(x)の範囲に収めるため、移充填直前の、前記供給用容器内の前記混合冷媒のHFC-32の液相混合比（初期組成）を、x+yR3〜x重量％にすることが好ましい。
【０１８４】
前記xは、目標上限組成である（但し、10≦x≦15.5又は79.5≦x≦90を満たす）。
【０１８５】
yR3は、初期組成における目標上限組成とのずれの下限値で、次の式(16)で表される値である。
【０１８６】
1000yR3 = 0.0082x3- 2.5108x2+ 174.097x- 2167.464        (16)
【０１８７】
本発明は、上記式(16)から、HFC-32/HFO-1234ze(E)混合冷媒を、供給用容器より供給先の容器及び機器へ移充填する際に、移充填する前の供給用容器内のHFC-32の液相混合比を、x-0.9重量％程度〜x重量％にすることで、供給先の容器及び機器内での組成変化を、移充填が完了するまで、目標上限組成(x)−2.0重量％（目標下限組成）から目標上限組成(x)の範囲に収める事ができる。
【０１８８】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−2.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１８９】
また、HFC-32が90重量％含まれる場合、組成変化が小さいことから、HFC-32の初期組成が、目標上限組成に対して、-0.8重量％程度であったとしても、移充填が完了するまで、HFC-32の液相混合比を目標上限組成(x)−2.0重量％（目標下限組成）から目標上限組成(x)の範囲に収めることができる。
【０１９０】
(3-5)容器への混合冷媒の充填量が最大充填量の70重量%の場合の充填方法
容器への混合冷媒の充填量が最大充填量の70重量%であって、供給用容器内の前記混合冷媒中のHFC-32の液相混合比を、目標上限組成(x)−2.0重量％（目標下限組成）から目標上限組成(x)の範囲に収めるときを説明する。
【０１９１】
本発明の混合冷媒の充填方法は、HFC-32及びHFO-1234ze(E)を含み、HFC-32及びHFO-1234ze(E)の合計100重量%に対し液相においてHFC-32が10〜16.0重量％又は78.0〜90重量％の量で存在する混合冷媒を、供給用容器に最大充填量の70重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−2.0重量％（目標下限組成）から目標上限組成(x)の範囲に収めるため、移充填直前の、前記供給用容器内の前記混合冷媒のHFC-32の液相混合比（初期組成）を、x+yR4〜x重量％にすることが好ましい。
【０１９２】
前記xは、目標上限組成である（但し、10≦x≦16.0又は78.0≦x≦90を満たす）。
【０１９３】
yR4は、初期組成における目標上限組成とのずれの下限値で、次の式(17)で表される値である。
【０１９４】
1000yR4 = 0.0074x3- 2.3367x2+ 164.5012x- 2176.172       (17)
【０１９５】
本発明は、上記式(17)から、HFC-32/HFO-1234ze(E)混合冷媒を、供給用容器より供給先の容器及び機器へ移充填する際に、移充填する前の供給用容器内のHFC-32の液相混合比を、x-0.9重量％程度〜x重量％にすることで、供給先の容器及び機器内での組成変化を、移充填が完了するまで、目標上限組成(x)−2.0重量％（目標下限組成）から目標上限組成(x)の範囲に収める事ができる。
【０１９６】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−2.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０１９７】
また、HFC-32が90重量％含まれる場合、組成変化が小さいことから、HFC-32の初期組成が、目標上限組成に対して、-0.9重量％程度であったとしても、移充填が完了するまで、HFC-32の液相混合比を目標上限組成(x)−2.0重量％（目標下限組成）から目標上限組成(x)の範囲に収めることができる。
【０１９８】
(3-6)容器への混合冷媒の充填量が最大充填量の60重量%の場合の充填方法
容器への混合冷媒の充填量が最大充填量の60重量%であって、供給用容器内の前記混合冷媒中のHFC-32の液相混合比を、目標上限組成(x)−2.0重量％（目標下限組成）から目標上限組成(x)の範囲に収めるときを説明する。
【０１９９】
本発明の混合冷媒の充填方法は、HFC-32及びHFO-1234ze(E)を含み、HFC-32及びHFO-1234ze(E)の合計100重量%に対し液相においてHFC-32が10〜18.0重量％又は76.0〜90重量％の量で存在する混合冷媒を、供給用容器に最大充填量の60重量％以下の量で充填されている供給用容器より、供給先の容器及び機器へ液で移充填する際に、移充填開始から完了までの、前記供給用容器内の前記混合冷媒中のHFC-32の液相混合比を、HFC-32の目標上限組成(x)−2.0重量％（目標下限組成）から目標上限組成(x)の範囲に収めるため、移充填直前の、前記供給用容器内の前記混合冷媒のHFC-32の液相混合比（初期組成）を、x+yR5〜x重量％にすることが好ましい。
【０２００】
前記xは、目標上限組成である（但し、10≦x≦18.0又は76.0≦x≦90を満たす）。
【０２０１】
yR5は、初期組成における目標上限組成とのずれの下限値で、次の式(18)で表される値である。
【０２０２】
1000yR5 = 0.0065x3- 2.1408x2+ 153.3221x- 2164.988        (18)
【０２０３】
本発明は、上記式(18)から、HFC-32/HFO-1234ze(E)混合冷媒を、供給用容器より供給先の容器及び機器へ移充填する際に、移充填する前の供給用容器内のHFC-32の液相混合比を、x-1.0重量％程度〜x重量％にすることで、供給先の容器及び機器内での組成変化を、移充填が完了するまで、目標上限組成(x)−2.0重量％（目標下限組成）から目標上限組成(x)の範囲に収める事ができる。
【０２０４】
HFC-32の沸点がHFO-1234ze(E)に比べて低く、移充填時、冷媒が抜き出されて出来た空間に、液相側から蒸発して補充される際に、HFC-32の方が多く蒸発するため、液相のHFC-32濃度が低下することから、HFC-32を移充填前の供給用容器において目標組成より多く充填することが好ましい。そして、供給先の容器及び機器内でのHFC-32/HFO-1234ze(E)混合冷媒の組成変化を、移充填が完了するまで、目標上限組成(x)−2.0重量％（目標下限組成）から目標上限組成(x)の範囲に収める混合冷媒の充填方法では、HFC-32/HFO-1234ze(E)混合冷媒中のHFC-32の液相混合比の上限値は、HFC-32の目標上限組成である。
【０２０５】
また、HFC-32が90重量％含まれる場合、組成変化が小さいことから、HFC-32の初期組成が、目標上限組成に対して、-0.9重量％程度であったとしても、移充填が完了するまで、HFC-32の液相混合比を目標上限組成(x)−2.0重量％（目標下限組成）から目標上限組成(x)の範囲に収めることができる。
【０２０６】
(3-7)HFC-32及びHFO-1234ze(E)を含む非共沸混合冷媒の充填方法
HFC-32及びHFO-1234ze(E)からなる非共沸混合冷媒の、HFC-32の目標上限組成(x)−2.0重量％（目標下限組成）から目標上限組成(x)の範囲に収める充填方法について説明する。
【０２０７】
上記式(13)は、上記式(14)〜(18)から導き出すことができる。上記式(14)〜(18)の各係数の値を基に、目標上限組成(x)から、初期充填量（a重量%）に対して式(13)のL3〜P3を導き出すことができる。
【０２０８】
本発明の混合冷媒の充填方法は、HFC-32及びHFO-1234ze(E)を含み、HFC-32及びHFO-1234ze(E)の合計100重量%に対し液相においてHFC-32が10〜18重量％又は76〜90重量％の量で存在する混合冷媒を、供給用容器より供給先の容器及び機器へ液で移充填する際に、移充填開始から完了までの、前記供給用容器内の前記混合冷媒中のHFC-32の液相混合比を、HFC-32の目標上限組成(x)−2.0重量％（目標下限組成）から目標上限組成(x)の範囲に収めるため、移充填直前の、前記供給用容器内の前記混合冷媒のHFC-32の液相混合比（初期組成）を、x+ y3 (最小値)〜x (最大値)重量％にすることを特徴とする。
【０２０９】
ここで、前記本発明の概念の通り、目標上限組成(x)と目標下限組成の差が−2.0重量％の場合、供給用容器に最大充填量の100重量％以下の量で充填されている場合、14.0＜x＜81.0ではyR1＞0となってしまうため、xの範囲は10.0〜14.0重量％又は81.0〜90.0重量％となる。
【０２１０】
供給用容器に最大充填量の90重量％以下の量で充填されている場合、14.5＜x＜80.5ではyR2＞0となってしまうため、xの範囲は10〜14.5重量％又は80.5〜90重量％となる。
【０２１１】
供給用容器に最大充填量の80重量％以下の量で充填されている場合、15.5＜x＜79.5ではyR3＞0となってしまうため、xの範囲は10〜15.5重量％又は79.5〜90重量％となる。
【０２１２】
供給用容器に最大充填量の70重量％以下の量で充填されている場合、16.0＜x＜78.0ではyR4＞0となってしまうため、xの範囲は10〜16.0重量％又は78.0〜90重量％となる。
【０２１３】
供給用容器に最大充填量の60重量％以下の量で充填されている場合、18.0＜x＜76.0ではyR5＞0となってしまうため、xの範囲は10〜18.0重量％又は76.0〜90重量％となる。
【０２１４】
a：供給用容器における初期充填量（重量%）
x：目標上限組成である（重量%、10≦x≦18.0重量%又は76.0≦x≦90、ただしy3＞0となる範囲を除く）。
y3：初期組成における目標上限組成とのずれの下限値で、次の式(13)で表される値である。
【０２１５】
1000y3= L3x3 - M3x2+ N3x - P3        (13)
L3= 0.0006 a + 0.0033
M3= 0.0137 a + 1.3646
N3= 0.8276 a + 105.68
P3= -0.5186 a + 2205.2
【０２１６】
(4)第３成分の添加について
本発明は、特にHFC-32/HFO-1234ze(E)混合冷媒のうちHFC-32：10〜90重量％からなる混合組成物を対象としているが、HFC-32/HFO-1234ze(E)混合冷媒の組成変動挙動を大きく損なわない範囲において非共沸化合物を、冷凍機油との相溶性向上、燃焼性抑制、GWP低減、冷凍能力向上などHFC-32/HFO-1234ze(E)混合冷媒の特性改良の目的でそれらを添加しても良く、添加良としては１〜１０重量％程度が望ましい。非共沸化合物としては特に限定されるものではないが、HFC-125、HFC-152a、HFC-143a等のHFC、HFO-1234yf、HFO-1243zf、HFO-1225ye等のHFO、イソブタン、ブタン、プロパン、CO2等が例として挙げられ、その化合物の１種又は２種以上を混合しても良い。
【０２１７】
本発明の供給側容器は、冷媒混合物を貯蔵できる密閉容器であれば特に制限はなく、例えばボンベやローリー、貯槽などが挙げられる。供給側容器の容量が小さく1回の抜き出し量が大きい場合は組成変動の影響を受け易い。
【０２１８】
またこの方法は、供給側容器の初期充填量が最大充填量の60〜100重量%であれば、移充填完了まで何回に分けて移充填を行っても良く、また液相を全て移充填せずに途中で移充填を中断したとしても成り立つ。
【０２１９】
また、冷媒混合物が移充填される機器としては、蒸気圧縮式冷凍サイクルを利用した装置であればよく、該装置としては、特に制限はなく、例えば冷凍空調機器、冷蔵庫及び給湯機器等が挙げられる。
【０２２０】
本発明の方法により製造される蒸気圧縮式冷凍装置は、冷媒と冷凍装置本体からなり、冷凍装置本体については特に制限はなく、公知の冷凍装置本体がそのまま用いられる。
【０２２１】
移充填の手段は常法に従えば良く、例えば、圧力差を利用するもの、ポンプ等を用いるものがある。
【０２２２】
また、例えば日本の高圧ガス保安法においては、40℃以上での容器の取り扱いを禁じていることから、移充填時の取扱い温度は基本的に0〜40℃である。また、国際法等でも高温での取扱いを避けることが求められている。そして、移充填時（取扱い時）の温度が高いほど、移充填による組成変化が大きくなるので、取扱い温度40℃時における移充填の条件を応用することで、取扱い温度0〜40℃についても適用可能である。
【発明の効果】
【０２２３】
本発明の充填方法により充填を行った場合には、HFO-1234ze(E)及びHFC-32からなる非共沸混合冷媒の移充填に伴う組成変化を、許容範囲内に収めることが可能である。
【発明を実施するための形態】
【０２２４】
本発明を実施例に従って説明するが、本発明の要旨を逸脱しない限り、この実施例のみに限定されるものではない。
【０２２５】
(1)参考例１
10Lの密閉容器に、トランス1,3,3,3-テトラフルオロプロペン（HFO-1234ze(E)）及びジフルオロメタン（HFC-32）を40℃で液相がある一定の組成になるように、移充填する直前の組成で充填できる最大充填量を充填し、40℃に保持した。この、最大充填可能量は法で定められており、以下のように算出する。
・G = V/C
・G：フルオロカーボンの質量（kg）
・V：容器の内容積（L）
・C：フルオロカーボンの種類による定数
この際の充填定数Cは日本国内では、1.05を48℃における当該ガスの比重で除した値と定められている。
【０２２６】
また、この充填定数Cは、輸出を伴う際は国際法により、熱帯地方を通過する際は、1.05を65℃における当該ガスの比重で除した値、熱帯以外のその他の地方のみでは、1.05を45℃における当該ガスの比重で除した値と定められている。
【０２２７】
今回は、1.05を45℃又は65℃における当該ガスの比重で除した値、を充填定数として採用した。
【０２２８】
また、移充填時の温度として40℃を選択したのは、日本の高圧ガス保安法において、40℃を超えての容器の取り扱いを禁じていることと、また、国際法等でも高温での取扱いを避けることが求められていること、高温になるほど組成変化が大きくなることから、40℃でのデータが最も条件の悪いケースとして想定されるからである。
【０２２９】
次に、ポンプを使用して液側より徐々に別の空容器に移充填した。液側の抜き出し配管の途中に設けたサンプリングバルブよりガスを一部採取し、成分組成をガスクロマトグラフィーにより分析した。
【０２３０】
表１に、1.05を45℃における当該ガスの比重で除した値を充填定数として算出した充填量に充填した場合の、移充填時における参考例１の組成変化の結果を示す。
【０２３１】
【表１】
0005861727.tif 000002
【０２３２】
表１から、移充填完了時のHFC-32/HFO-1234ze(E)混合冷媒中のHFC-32の濃度は、移充填開始時よりも低いことが分かった。これは、HFC-32の沸点がHFO-1234ze(E)の沸点に比べて低く、移充填時、冷媒が抜き出されて出来た空間に、液相側から蒸発して補充される際に、HFC-32の方が多く蒸発するため、液相のHFC-32濃度が低下することが理由である。そのため、HFC-32の移充填を実施する前の供給用容器において目標組成より多く充填することが好ましいことがわかった。
【０２３３】
表１から、ある目標組成があり、それを含む上下の組成幅を２〜４に設定した際、何の措置も取らずその組成幅内のある組成を初期組成として、移充填を始めた場合、移充填完了時（液消失時）の組成が、目標下限組成以下になってしまう可能性がある。そのため、目標組成で見込んでいた冷凍能力、COP等の冷媒能力が、移充開始時から移充完了時までの間で保証できない。
【０２３４】
そこで、ある目標組成とそれを含む目標上限組成と目標下限を設定した際、どの組成範囲に初期組成を設定すれば、移充填開始から移充填完了時までの組成を全て目標下限〜上限組成内に収めることが出来るかを明らかにした。
【０２３５】
(2)目標上限組成と目標下限組成の差が4重量％である場合の充填方法
(2-1)実施例１：供給用容器における初期充填量が最大充填量の100重量%である
10Lの密閉容器に、HFO-1234ze(E)及びHFC-32を40℃で液相がある一定の組成になるように、移充填する前の組成で充填できる最大充填量（充填量100重量％）を充填し、40℃に保持した。この際、移充填前のHFC-32の液相における初期組成を、目標上限組成になるように調整した。次に、参考例１と同様に、ポンプを使用して液側より徐々に別の空容器に移充填し、成分組成を分析した。表２に、目標上限組成に調製した場合の移充填時における組成変化の結果を示す。
【０２３６】
【表２】
0005861727.tif 000003
【０２３７】
表２で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜90重量％の範囲であれば、目標上限組成−4.0重量％（目標下限組成）から目標上限組成の範囲に収める事が出来る。
【０２３８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yP1）を表３に示す。
【０２３９】
【表３】
0005861727.tif 000004
【０２４０】
この結果より、HFC-32が90重量％の目標組成において最も組成変動が小さく、HFC-32/HFO-1234ze(E)の液相混合冷媒中のHFC-32の初期組成を目標組成の-2.5重量％であっても、移充填する前から移充填が完了するまで、目標上限組成−4.0重量％（目標下限組成）から目標上限組成の範囲に収める事が出来る。
【０２４１】
また、この結果より初期組成における目標上限組成とのずれの下限値(yP1)は、目標組成(x)を用いて以下の式で表すことができる。
【０２４２】
1000yP1 = 0.009x3- 2.8565x2+ 202.202x- 4579.154       (2)
【０２４３】
上記表１より、目標組成を目標下限〜上限のどこに設定すればよいか、提起した。上記表３を基に、下限値(yP1)を設定することにより、いずれの目標上限組成であっても、移充填開始から移充填完了時までの組成を全て目標下限〜上限組成内に収めることが出来る。
【０２４４】
よって、HFC-32/HFO-1234ze(E)の液相混合冷媒中のHFC-32の初期組成をyP1〜目標上限組成にすることで、移充填する前から移充填が完了するまで、目標上限組成−4.0重量％（目標下限組成）から目標上限組成の範囲に収める事が出来る。
【０２４５】
(2-2)実施例２：供給用容器における初期充填量が最大充填量の90重量%である
10Lの密閉容器に、HFO-1234ze(E)及びHFC-32を40℃で液相がある一定の組成になるように、移充填する前の組成で充填できる最大充填量の90重量％を充填し、40℃に保持した。この際、移充填前のHFC-32の液相における初期組成を、目標上限組成になるように調整した。次に、実施例１と同様に、ポンプを使用して液側より徐々に別の空容器に移充填し、成分組成を分析した。表４に、目標上限組成に調製した場合の移充填時における組成変化の結果を示す。
【０２４６】
【表４】
0005861727.tif 000005
【０２４７】
表４で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜90重量％の範囲であれば、目標上限組成−4.0重量％（目標下限組成）から目標上限組成の範囲に収める事が出来る。
【０２４８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yP2）を表５に示す。
【０２４９】
【表５】
0005861727.tif 000006
【０２５０】
この結果より、HFC-32が90重量％の目標上限組成において最も組成変動が小さく、HFC-32/HFO-1234ze(E)の液相混合冷媒中のHFC-32の初期組成を目標上限組成の-2.6重量％であっても、移充填する前から移充填が完了するまで、目標上限組成−4.0重量％（目標下限組成）から目標上限組成の範囲に収める事が出来る。
【０２５１】
また、この結果より初期組成における目標上限組成とのずれの下限値(yP2)は、目標上限組成(x)を用いて以下の式で表すことができる。
【０２５２】
1000yP2 = 0.0089x3- 2.714x2+ 194.2292x- 4574.474        (3)
【０２５３】
上記表５を基に、下限値(yP2)を設定することにより、いずれの目標上限組成であっても、移充填開始から移充填完了時までの組成を全て目標下限〜上限組成内に収めることが出来る。
【０２５４】
よって、HFC-32/HFO-1234ze(E)の液相混合冷媒中のHFC-32の初期組成をyP2〜目標上限組成にすることで、移充填する前から移充填が完了するまで、目標上限組成−4.0重量％（目標下限組成）から目標上限組成の範囲に収める事が出来る。
【０２５５】
(2-3)実施例３：供給用容器における初期充填量が最大充填量の80重量%である
10Lの密閉容器に、HFO-1234ze(E)及びHFC-32を40℃で液相がある一定の組成になるように、移充填する前の組成で充填できる最大充填量の80重量％を充填し、40℃に保持した。この際、移充填前のHFC-32の液相における初期組成を、目標上限組成になるように調整した。次に、実施例１と同様に、ポンプを使用して液側より徐々に別の空容器に移充填し、成分組成を分析した。表６に、目標上限組成に調製した場合の移充填時における組成変化の結果を示す。
【０２５６】
【表６】
0005861727.tif 000007
【０２５７】
表６で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜90重量％の範囲であれば、目標上限組成−4.0重量％（目標下限組成）から目標上限組成の範囲に収める事が出来る。
【０２５８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yP3）を表７に示す。
【０２５９】
【表７】
0005861727.tif 000008
【０２６０】
この結果より、HFC-32が90重量％の目標上限組成において最も組成変動が小さく、HFC-32/HFO-1234ze(E)の液相混合冷媒中のHFC-32の初期組成を目標上限組成の-2.6重量％であっても、移充填する前から移充填が完了するまで、目標上限組成−4.0重量％（目標下限組成）から目標上限組成の範囲に収める事が出来る。
【０２６１】
また、この結果より初期組成における目標上限組成とのずれの下限値(yP3)は、目標上限組成(x)を用いて以下の式で表すことができる。
【０２６２】
1000yP3 = 0.0084x3- 2.5913x2+ 185.8744x- 4552.951        (4)
【０２６３】
上記表７を基に、下限値(yP3)を設定することにより、いずれの目標上限組成であっても、移充填開始から移充填完了時までの組成を全て目標下限〜上限組成内に収めることが出来る。
【０２６４】
よって、HFC-32/HFO-1234ze(E)の液相混合冷媒中のHFC-32の初期組成をyP3〜目標上限組成にすることで、移充填する前から移充填が完了するまで、目標上限組成−4.0重量％（目標下限組成）から目標上限組成の範囲に収める事が出来る。
【０２６５】
(2-4)実施例４：供給用容器における初期充填量が最大充填量の70重量%である
10Lの密閉容器に、HFO-1234ze(E)及びHFC-32を40℃で液相がある一定の組成になるように、移充填する前の組成で充填できる最大充填量の70重量％を充填し、40℃に保持した。この際、移充填前のHFC-32の液相における初期組成を、目標上限組成になるように調整した。次に、実施例１と同様に、ポンプを使用して液側より徐々に別の空容器に移充填し、成分組成を分析した。表８に、目標上限組成に調製した場合の移充填時における組成変化の結果を示す。
【０２６６】
【表８】
0005861727.tif 000009
【０２６７】
表８で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜90重量％の範囲であれば、目標上限組成−4.0重量％（目標下限組成）から目標上限組成の範囲に収める事が出来る。
【０２６８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yP4）を表９に示す。
【０２６９】
【表９】
0005861727.tif 000010
【０２７０】
この結果より、HFC-32が90重量％の目標上限組成において最も組成変動が小さく、HFC-32/HFO-1234ze(E)の液相混合冷媒中のHFC-32の初期組成を目標上限組成の-2.7重量％であっても、移充填する前から移充填が完了するまで、目標上限組成−4.0重量％（目標下限組成）から目標上限組成の範囲に収める事が出来る。
【０２７１】
また、この結果より初期組成における目標上限組成とのずれの下限値(yP4)は、目標上限組成(x)を用いて以下の式で表すことができる。
【０２７２】
1000yP4 = 0.0075x3- 2.3976x2+ 174.6504x- 4526.37        (5)
【０２７３】
上記表９を基に、下限値(yP4)を設定することにより、いずれの目標上限組成であっても、移充填開始から移充填完了時までの組成を全て目標下限〜上限組成内に収めることが出来る。
【０２７４】
よって、HFC-32/HFO-1234ze(E)の液相混合冷媒中のHFC-32の初期組成をyP4〜目標上限組成にすることで、移充填する前から移充填が完了するまで、目標上限組成−4.0重量％（目標下限組成）から目標上限組成の範囲に収める事が出来る。
【０２７５】
(2-5)実施例５：供給用容器における初期充填量が最大充填量の60重量%である
10Lの密閉容器に、HFO-1234ze(E)及びHFC-32を40℃で液相がある一定の組成になるように、移充填する前の組成で充填できる最大充填量の60重量％を充填し、40℃に保持した。この際、移充填前のHFC-32の液相における初期組成を、目標上限組成になるように調整した。次に、実施例１と同様に、ポンプを使用して液側より徐々に別の空容器に移充填し、成分組成を分析した。表１０に、目標上限組成に調製した場合の移充填時における組成変化の結果を示す。
【０２７６】
【表１０】
0005861727.tif 000011
【０２７７】
表１０で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜90重量％の範囲であれば、目標上限組成−4.0重量％（目標下限組成）から目標上限組成の範囲に収める事が出来る。
【０２７８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yP5）を表１１に示す。
【０２７９】
【表１１】
0005861727.tif 000012
【０２８０】
この結果より、HFC-32が90重量％の目標上限組成において最も組成変動が小さく、HFC-32/HFO-1234ze(E)の液相混合冷媒中のHFC-32の初期組成を目標上限組成の-2.8重量％であっても、移充填する前から移充填が完了するまで、目標上限組成−4.0重量％（目標下限組成）から目標上限組成の範囲に収める事が出来る。
【０２８１】
また、この結果より初期組成における目標上限組成とのずれの下限値(yP5)は、目標上限組成(x)を用いて以下の式で表すことができる。
【０２８２】
1000yP5 = 0.0071x3- 2.2789x2+ 166.8604x- 4545.862       (6)
【０２８３】
上記表１１を基に、下限値(yP5)を設定することにより、いずれの目標上限組成であっても、移充填開始から移充填完了時までの組成を全て目標下限〜上限組成内に収めることが出来る。
【０２８４】
よって、HFC-32/HFO-1234ze(E)の液相混合冷媒中のHFC-32の初期組成をyP5〜目標上限組成にすることで、移充填する前から移充填が完了するまで、目標上限組成−4.0重量％（目標下限組成）から目標上限組成の範囲に収める事が出来る。
【０２８５】
(3)目標上限組成と目標下限組成の差が3重量％である場合の充填方法
(3-1)実施例６：供給用容器における初期充填量が最大充填量の100重量%である
10Lの密閉容器に、HFO-1234ze(E)及びHFC-32を40℃で液相がある一定の組成になるように、移充填する前の組成で充填できる最大充填量（充填量100重量％）を充填し、40℃に保持した。この際、移充填前のHFC-32の液相における初期組成を、目標上限組成になるように調整した。次に、参考例１と同様に、ポンプを使用して液側より徐々に別の空容器に移充填し、成分組成を分析した。表１２に、目標上限組成に調製した場合の移充填時における組成変化の結果を示す。
【０２８６】
【表１２】
0005861727.tif 000013
【０２８７】
表１２で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜25.5重量％又は66.5〜90重量％の範囲であれば、目標上限組成−3.0重量％（目標下限組成）から目標上限組成の範囲に収める事が出来る。
【０２８８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yQ1）を表１３に示す。
【０２８９】
【表１３】
0005861727.tif 000014
【０２９０】
この結果より、HFC-32が90重量％の目標上限組成において最も組成変動が小さく、HFC-32/HFO-1234ze(E)の液相混合冷媒中のHFC-32の初期組成を目標上限組成の-1.6重量％であっても、移充填する前から移充填が完了するまで、目標上限組成−3.0重量％（目標下限組成）から目標上限組成の範囲に収める事が出来る。
【０２９１】
また、この結果より初期組成における目標上限組成とのずれの下限値(yQ1)は、目標上限組成(x)を用いて以下の式で表すことができる。
【０２９２】
1000yQ1 = 0.0093x3- 2.79655x2+ 194.9369x- 3361.644        (8)
【０２９３】
上記表１３を基に、下限値(yQ1)を設定することにより、いずれの目標上限組成であっても、移充填開始から移充填完了時までの組成を全て目標下限〜上限組成内に収めることが出来る。
【０２９４】
よって、HFC-32/HFO-1234ze(E)の液相混合冷媒中のHFC-32の初期組成をyQ1〜目標上限組成にすることで、移充填する前から移充填が完了するまで、目標上限組成−3.0重量％（目標下限組成）から目標上限組成の範囲に収める事が出来る。
【０２９５】
(3-2)実施例７：供給用容器における初期充填量が最大充填量の90重量%である
10Lの密閉容器に、HFO-1234ze(E)及びHFC-32を40℃で液相がある一定の組成になるように、移充填する前の組成で充填できる最大充填量の90重量％を充填し、40℃に保持した。この際、移充填前のHFC-32の液相における初期組成を、目標上限組成になるように調整した。次に、実施例６と同様に、ポンプを使用して液側より徐々に別の空容器に移充填し、成分組成を分析した。表１４に、目標上限組成に調製した場合の移充填時における組成変化の結果を示す。
【０２９６】
【表１４】
0005861727.tif 000015
【０２９７】
表１４で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜27.5重量％又は64.5〜90重量％の範囲であれば、目標上限組成−3.0重量％（目標下限組成）から目標上限組成の範囲に収める事が出来る。
【０２９８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yQ2）を表１５に示す。
【０２９９】
【表１５】
0005861727.tif 000016
【０３００】
この結果より、HFC-32が90重量％の目標上限組成において最も組成変動が小さく、HFC-32/HFO-1234ze(E)の液相混合冷媒中のHFC-32の初期組成を目標上限組成の-1.7重量％であっても、移充填する前から移充填が完了するまで、目標上限組成−3.0重量％（目標下限組成）から目標上限組成の範囲に収める事が出来る。
【０３０１】
また、この結果より初期組成における目標上限組成とのずれの下限値(yQ2)は、目標上限組成(x)を用いて以下の式で表すことができる。
【０３０２】
1000yQ2 = 0.0089x3- 2.69275x2+ 188.6282x- 3367.314       (9)
【０３０３】
上記表１５を基に、下限値(yQ2)を設定することにより、いずれの目標上限組成であっても、移充填開始から移充填完了時までの組成を全て目標下限〜上限組成内に収めることが出来る。
【０３０４】
よって、HFC-32/HFO-1234ze(E)の液相混合冷媒中のHFC-32の初期組成をyQ2〜目標上限組成にすることで、移充填する前から移充填が完了するまで、目標上限組成−3.0重量％（目標下限組成）から目標上限組成の範囲に収める事が出来る。
【０３０５】
(3-3)実施例８：供給用容器における初期充填量が最大充填量の80重量%である
10Lの密閉容器に、HFO-1234ze(E)及びHFC-32を40℃で液相がある一定の組成になるように、移充填する前の組成で充填できる最大充填量の80重量％を充填し、40℃に保持した。この際、移充填前のHFC-32の液相における初期組成を、目標上限組成になるように調整した。次に、実施例６と同様に、ポンプを使用して液側より徐々に別の空容器に移充填し、成分組成を分析した。表１６に、目標上限組成に調製した場合の移充填時における組成変化の結果を示す。
【０３０６】
【表１６】
0005861727.tif 000017
【０３０７】
表１６で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜30.0重量％又は61.5〜90重量％の範囲であれば、目標上限組成−3.0重量％（目標下限組成）から目標上限組成の範囲に収める事が出来る。
【０３０８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yQ3）を表１７に示す。
【０３０９】
【表１７】
0005861727.tif 000018
【０３１０】
この結果より、HFC-32が90重量％の目標上限組成において最も組成変動が小さく、HFC-32/HFO-1234ze(E)の液相混合冷媒中のHFC-32の初期組成を目標上限組成の-1.7重量％であっても、移充填する前から移充填が完了するまで、目標上限組成−3.0重量％（目標下限組成）から目標上限組成の範囲に収める事が出来る。
【０３１１】
また、この結果より初期組成における目標上限組成とのずれの下限値(yQ3)は、目標上限組成(x)を用いて以下の式で表すことができる。
【０３１２】
1000yQ3 = 0.0083x3- 2.54425x2+ 180.1067x- 3371.564        (10)
【０３１３】
上記表１７を基に、下限値(yQ3)を設定することにより、いずれの目標上限組成であっても、移充填開始から移充填完了時までの組成を全て目標下限〜上限組成内に収めることが出来る。
【０３１４】
よって、HFC-32/HFO-1234ze(E)の液相混合冷媒中のHFC-32の初期組成をyQ3〜目標上限組成にすることで、移充填する前から移充填が完了するまで、目標上限組成−3.0重量％（目標下限組成）から目標上限組成の範囲に収める事が出来る。
【０３１５】
(3-4)実施例９：供給用容器における初期充填量が最大充填量の70重量%である
10Lの密閉容器に、HFO-1234ze(E)及びHFC-32を40℃で液相がある一定の組成になるように、移充填する前の組成で充填できる最大充填量の70重量％を充填し、40℃に保持した。この際、移充填前のHFC-32の液相における初期組成を、目標上限組成になるように調整した。次に、実施例６と同様に、ポンプを使用して液側より徐々に別の空容器に移充填し、成分組成を分析した。表１８に、目標上限組成に調製した場合の移充填時における組成変化の結果を示す。
【０３１６】
【表１８】
0005861727.tif 000019
【０３１７】
表１８で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜33.5重量％又は57.5〜90重量％の範囲であれば、目標上限組成−3.0重量％（目標下限組成）から目標上限組成の範囲に収める事が出来る。
【０３１８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yQ4）を表１９に示す。
【０３１９】
【表１９】
0005861727.tif 000020
【０３２０】
この結果より、HFC-32が90重量％の目標上限組成において最も組成変動が小さく、HFC-32/HFO-1234ze(E)の液相混合冷媒中のHFC-32の初期組成を目標上限組成の-1.8重量％であっても、移充填する前から移充填が完了するまで、目標上限組成−3.0重量％（目標下限組成）から目標上限組成の範囲に収める事が出来る。
【０３２１】
また、この結果より初期組成における目標上限組成とのずれの下限値(yQ4)は、目標上限組成(x)を用いて以下の式で表すことができる。
【０３２２】
1000yQ4 = 0.0074x3- 2.3485x2+ 168.4156x- 3324.164        (11)
【０３２３】
上記表１９を基に、下限値(yQ4)を設定することにより、いずれの目標上限組成であっても、移充填開始から移充填完了時までの組成を全て目標下限〜上限組成内に収めることが出来る。
【０３２４】
よって、HFC-32/HFO-1234ze(E)の液相混合冷媒中のHFC-32の初期組成をyQ4〜目標上限組成にすることで、移充填する前から移充填が完了するまで、目標上限組成−3.0重量％（目標下限組成）から目標上限組成の範囲に収める事が出来る。
【０３２５】
(3-5)実施例１０：供給用容器における初期充填量が最大充填量の60重量%である
10Lの密閉容器に、HFO-1234ze(E)及びHFC-32を40℃で液相がある一定の組成になるように、移充填する前の組成で充填できる最大充填量の60重量％を充填し、40℃に保持した。この際、移充填前のHFC-32の液相における初期組成を、目標上限組成になるように調整した。次に、実施例６と同様に、ポンプを使用して液側より徐々に別の空容器に移充填し、成分組成を分析した。表２０に、目標上限組成に調製した場合の移充填時における組成変化の結果を示す。
【０３２６】
【表２０】
0005861727.tif 000021
【０３２７】
表２０で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜90重量％の範囲であれば、目標上限組成−3.0重量％（目標下限組成）から目標上限組成の範囲に収める事が出来る。
【０３２８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yQ5）を表２１に示す。
【０３２９】
【表２１】
0005861727.tif 000022
【０３３０】
この結果より、HFC-32が90重量％の目標上限組成において最も組成変動が小さく、HFC-32/HFO-1234ze(E)の液相混合冷媒中のHFC-32の初期組成を目標上限組成の-1.8重量％であっても、移充填する前から移充填が完了するまで、目標上限組成−3.0重量％（目標下限組成）から目標上限組成の範囲に収める事が出来る。
【０３３１】
また、この結果より初期組成における目標上限組成とのずれの下限値(yQ5)は、目標上限組成(x)を用いて以下の式で表すことができる。
【０３３２】
1000yQ5 = 0.0070x3- 2.2222x2+ 160.0194x- 3342.253        (12)
【０３３３】
上記表２１を基に、下限値(yQ5)を設定することにより、いずれの目標上限組成であっても、移充填開始から移充填完了時までの組成を全て目標下限〜上限組成内に収めることが出来る。
【０３３４】
よって、HFC-32/HFO-1234ze(E)の液相混合冷媒中のHFC-32の初期組成をyQ5〜目標上限組成にすることで、移充填する前から移充填が完了するまで、目標上限組成−3.0重量％（目標下限組成）から目標上限組成の範囲に収める事が出来る。
【０３３５】
(4)目標上限組成と目標下限組成の差が2重量％である場合の充填方法
(4-1)実施例１１：供給用容器における初期充填量が最大充填量の100重量%である
10Lの密閉容器に、HFO-1234ze(E)及びHFC-32を40℃で液相がある一定の組成になるように、移充填する前の組成で充填できる最大充填量（充填量100重量％）を充填し、40℃に保持した。この際、移充填前のHFC-32の液相における初期組成を、目標上限組成になるように調整した。次に、参考例１と同様に、ポンプを使用して液側より徐々に別の空容器に移充填し、成分組成を分析した。表２２に、目標上限組成に調製した場合の移充填時における組成変化の結果を示す。
【０３３６】
【表２２】
0005861727.tif 000023
【０３３７】
表２２で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜14.0重量％又は81.0〜90重量％の範囲であれば、目標上限組成−2.0重量％（目標下限組成）から目標上限組成の範囲に収める事が出来る。
【０３３８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yR1）を表２３に示す。
【０３３９】
【表２３】
0005861727.tif 000024
【０３４０】
この結果より、HFC-32が90重量％の目標上限組成において最も組成変動が小さく、HFC-32/HFO-1234ze(E)の液相混合冷媒中のHFC-32の初期組成を目標上限組成の-0.7重量％であっても、移充填する前から移充填が完了するまで、目標上限組成−2.0重量％（目標下限組成）から目標上限組成の範囲に収める事が出来る。
【０３４１】
また、この結果より初期組成における目標上限組成とのずれの下限値(yR1)は、目標上限組成(x)を用いて以下の式で表すことができる。
【０３４２】
1000yR1 = 0.0088x3- 2.6875x2+ 186.3886x- 2144.11        (14)
【０３４３】
上記表２３を基に、下限値(yR1)を設定することにより、いずれの目標上限組成であっても、移充填開始から移充填完了時までの組成を全て目標下限〜上限組成内に収めることが出来る。
【０３４４】
よって、HFC-32/HFO-1234ze(E)の液相混合冷媒中のHFC-32の初期組成をyR1〜目標上限組成にすることで、移充填する前から移充填が完了するまで、目標上限組成−2.0重量％（目標下限組成）から目標上限組成の範囲に収める事が出来る。
【０３４５】
(4-2)実施例１２：供給用容器における初期充填量が最大充填量の90重量%である
10Lの密閉容器に、HFO-1234ze(E)及びHFC-32を40℃で液相がある一定の組成になるように、移充填する前の組成で充填できる最大充填量の90重量％を充填し、40℃に保持した。この際、移充填前のHFC-32の液相における初期組成を、目標上限組成になるように調整した。次に、実施例１１と同様に、ポンプを使用して液側より徐々に別の空容器に移充填し、成分組成を分析した。表２４に、目標上限組成に調製した場合の移充填時における組成変化の結果を示す。
【０３４６】
【表２４】
0005861727.tif 000025
【０３４７】
表２４で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜14.5重量％又は80.5〜90重量％の範囲であれば、目標上限組成−2.0重量％（目標下限組成）から目標上限組成の範囲に収める事が出来る。
【０３４８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yR2）を表２５に示す。
【０３４９】
【表２５】
0005861727.tif 000026
【０３５０】
この結果より、HFC-32が90重量％の目標上限組成において最も組成変動が小さく、HFC-32/HFO-1234ze(E)の液相混合冷媒中のHFC-32の初期組成を目標上限組成の-0.8量％であっても、移充填する前から移充填が完了するまで、目標上限組成−2.0重量％（目標下限組成）から目標上限組成の範囲に収める事が出来る。
【０３５１】
また、この結果より初期組成における目標上限組成とのずれの下限値(yR2)は、目標上限組成(x)を用いて以下の式で表すことができる。
【０３５２】
1000yR2 = 0.0085x3- 2.6087x2+ 181.1319x- 2166.072        (15)
【０３５３】
上記表２５を基に、下限値(yR2)を設定することにより、いずれの目標上限組成であっても、移充填開始から移充填完了時までの組成を全て目標下限〜上限組成内に収めることが出来る。
【０３５４】
よって、HFC-32/HFO-1234ze(E)の液相混合冷媒中のHFC-32の初期組成をyR2〜目標上限組成にすることで、移充填する前から移充填が完了するまで、目標上限組成−2.0重量％（目標下限組成）から目標上限組成の範囲に収める事が出来る。
【０３５５】
(4-3)実施例１３：供給用容器における初期充填量が最大充填量の80重量%である
10Lの密閉容器に、HFO-1234ze(E)及びHFC-32を40℃で液相がある一定の組成になるように、移充填する前の組成で充填できる最大充填量の80重量％を充填し、40℃に保持した。この際、移充填前のHFC-32の液相における初期組成を、目標上限組成になるように調整した。次に、実施例１１と同様に、ポンプを使用して液側より徐々に別の空容器に移充填し、成分組成を分析した。表２６に、目標上限組成に調製した場合の移充填時における組成変化の結果を示す。
【０３５６】
【表２６】
0005861727.tif 000027
【０３５７】
表２６で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜15.5重量％又は79.5〜90重量％の範囲であれば、目標上限組成−2.0重量％（目標下限組成）から目標上限組成の範囲に収める事が出来る。
【０３５８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yR3）を表２７に示す。
【０３５９】
【表２７】
0005861727.tif 000028
【０３６０】
この結果より、HFC-32が90重量％の目標上限組成において最も組成変動が小さく、HFC-32/HFO-1234ze(E)の液相混合冷媒中のHFC-32の初期組成を目標上限組成の-0.9重量％であっても、移充填する前から移充填が完了するまで、目標上限組成−2.0重量％（目標下限組成）から目標上限組成の範囲に収める事が出来る。
【０３６１】
また、この結果より初期組成における目標上限組成とのずれの下限値(yR3)は、目標上限組成(x)を用いて以下の式で表すことができる。
【０３６２】
1000yR3 = 0.0082x3- 2.5108x2+ 174.097x- 2167.464        (16)
【０３６３】
上記表２７を基に、下限値(yR3)を設定することにより、いずれの目標上限組成であっても、移充填開始から移充填完了時までの組成を全て目標下限〜上限組成内に収めることが出来る。
【０３６４】
よって、HFC-32/HFO-1234ze(E)の液相混合冷媒中のHFC-32の初期組成をyR3〜目標上限組成にすることで、移充填する前から移充填が完了するまで、目標上限組成−2.0重量％（目標下限組成）から目標上限組成の範囲に収める事が出来る。
【０３６５】
(4-4)実施例１４：供給用容器における初期充填量が最大充填量の70重量%である
10Lの密閉容器に、HFO-1234ze(E)及びHFC-32を40℃で液相がある一定の組成になるように、移充填する前の組成で充填できる最大充填量の70重量％を充填し、40℃に保持した。この際、移充填前のHFC-32の液相における初期組成を、目標上限組成になるように調整した。次に、実施例１１と同様に、ポンプを使用して液側より徐々に別の空容器に移充填し、成分組成を分析した。表２８に、目標上限組成に調製した場合の移充填時における組成変化の結果を示す。
【０３６６】
【表２８】
0005861727.tif 000029
【０３６７】
表２８で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜16.0重量％又は78.0〜90重量％の範囲であれば、目標上限組成−2.0重量％（目標下限組成）から目標上限組成の範囲に収める事が出来る。
【０３６８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yR4）を表２９に示す。
【０３６９】
【表２９】
0005861727.tif 000030
【０３７０】
この結果より、HFC-32が90重量％の目標上限組成において最も組成変動が小さく、HFC-32/HFO-1234ze(E)の液相混合冷媒中のHFC-32の初期組成を目標上限組成の-0.9重量％であっても、移充填する前から移充填が完了するまで、目標上限組成−2.0重量％（目標下限組成）から目標上限組成の範囲に収める事が出来る。
【０３７１】
また、この結果より初期組成における目標上限組成とのずれの下限値(yR4)は、目標上限組成(x)を用いて以下の式で表すことができる。
【０３７２】
1000yR4 = 0.0074x3- 2.3367x2+ 164.5012x- 2176.172       (17)
【０３７３】
上記表２９を基に、下限値(yR4)を設定することにより、いずれの目標上限組成であっても、移充填開始から移充填完了時までの組成を全て目標下限〜上限組成内に収めることが出来る。
【０３７４】
よって、HFC-32/HFO-1234ze(E)の液相混合冷媒中のHFC-32の初期組成をyR4〜目標上限組成にすることで、移充填する前から移充填が完了するまで、目標上限組成−2.0重量％（目標下限組成）から目標上限組成の範囲に収める事が出来る。
【０３７５】
(4-5)実施例１５：供給用容器における初期充填量が最大充填量の60重量%である
10Lの密閉容器に、HFO-1234ze(E)及びHFC-32を40℃で液相がある一定の組成になるように、移充填する前の組成で充填できる最大充填量の60重量％を充填し、40℃に保持した。この際、移充填前のHFC-32の液相における初期組成を、目標上限組成になるように調整した。次に、実施例１１と同様に、ポンプを使用して液側より徐々に別の空容器に移充填し、成分組成を分析した。表３０に、目標上限組成に調製した場合の移充填時における組成変化の結果を示す。
【０３７６】
【表３０】
0005861727.tif 000031
【０３７７】
表３０で示す様に、移充填前の初期組成を、目標上限組成になるようにすることで、充填初め（移充填する前）から、液がなくなるまで（移充填が完了するまで）の組成のうち、そのHFC-32組成がHFC-32/HFO-1234ze(E)の液相混合冷媒中に10〜18.0重量％又は76.0〜90重量％の範囲であれば、目標上限組成−2.0重量％（目標下限組成）から目標上限組成の範囲に収める事が出来る。
【０３７８】
また、移充填が完了した時点でのHFC-32組成が、目標下限組成になるような、HFC-32/HFO-1234ze(E)の液相混合冷媒中のHFC-32の移充填前組成を求めた。この時の初期組成における目標上限組成とのずれの下限値（yR5）を表３１に示す。
【０３７９】
【表３１】
0005861727.tif 000032
【０３８０】
この結果より、HFC-32が90重量％の目標上限組成において最も組成変動が小さく、HFC-32/HFO-1234ze(E)の液相混合冷媒中のHFC-32の初期組成を目標上限組成の-0.9重量％であっても、移充填する前から移充填が完了するまで、目標上限組成−2.0重量％（目標下限組成）から目標上限組成の範囲に収める事が出来る。
【０３８１】
また、この結果より初期組成における目標上限組成とのずれの下限値(yR5)は、目標上限組成(x)を用いて以下の式で表すことができる。
【０３８２】
1000yR5 = 0.0065x3- 2.1408x2+ 153.3221x- 2164.988        (18)
【０３８３】
上記表３１を基に、下限値(yR5)を設定することにより、いずれの目標上限組成であっても、移充填開始から移充填完了時までの組成を全て目標下限〜上限組成内に収めることが出来る。
【０３８４】
よって、HFC-32/HFO-1234ze(E)の液相混合冷媒中のHFC-32の初期組成をyR5〜目標上限組成にすることで、移充填する前から移充填が完了するまで、目標上限組成−2.0重量％（目標下限組成）から目標上限組成の範囲に収める事が出来る。
【０３８５】
(5)考察
上記実施例の結果から明らかなように、本発明の方法により、移充填に伴う組成変化を何の対策も行わずに移充填した場合と比べ、移充填する前から、移充填が完了するまで、狙う組成に対してある一定の範囲内に収める事ができ、液相の全量使用を可能とする、非共沸混合冷媒の新しい充填方法を見出した。
【０３８６】
本発明方法を実施することにより、蒸気圧縮式冷凍サイクル用作動媒体として使用される非共沸性のHFO-1234ze(E)/HFC-32混合冷媒の移充填時に生じる組成変化を冷媒能力に支障をきたさない範囲内に収めることができ有意義である。